(57)【要約】  新無線における追跡基準信号の構成態様のためのワイヤレス通信のための方法、システム、およびデバイスについて説明する。基地局は、追跡基準信号（ＴＲＳ）バーストのための第１のバースト持続時間と第２のバースト持続時間とを選択すること、第１のバースト持続時間は、第２のバースト持続時間とは異なる、を行い得、ユーザ機器（ＵＥ）に第１のバースト持続時間と第２のバースト持続時間とを示す構成情報を送信することを行い得る。基地局は、第１のバースト持続時間を有する第１のＴＲＳバーストと第２のバースト持続時間を有する第２のＴＲＳバーストとを送信し得る。ＵＥは、構成情報に少なくとも部分的に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに少なくとも部分的に基づいてリソース追跡を実行することとを行い得る。【選択図】図９
2020537408.tif 000002
【特許請求の範囲】
【請求項１】
ユーザ機器（ＵＥ）によるワイヤレス通信のための方法であって、
追跡基準信号（ＴＲＳ）バーストのための第１のバースト持続時間と第２のバースト持続時間とを示す構成情報を受信すること、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出することと、
前記検出された第１のＴＲＳバーストと前記第２のＴＲＳバーストとに少なくとも部分的に基づいてリソース追跡を実行することと
を備える、方法。
【請求項２】
前記構成情報から、前記第１のバースト持続時間が第１の時間間隔に対応し、前記第２のバースト持続時間が第２の時間間隔に対応すると決定することをさらに備え、前記第２の時間間隔は、前記第１の時間間隔の後に発生する、
請求項１に記載の方法。
【請求項３】
前記構成情報から、ＴＲＳバーストの送信が、複数の時間間隔の各時間間隔において前記第１のバースト持続時間と前記第２のバースト持続時間とで交互になるようにスケジュールされていると決定することをさらに備える、
請求項１に記載の方法。
【請求項４】
前記構成情報から、第１のリソースと第２のリソースとが前記ＵＥに割り振られていると決定することをさらに備え、前記第１のバースト持続時間は、前記第１のリソースに対応し、前記第２のバースト持続時間は、前記第２のリソースに対応する、
請求項１に記載の方法。
【請求項５】
前記構成情報から、時間間隔の周期性と時間オフセットとを決定すること、ここにおいて、前記第１のバースト持続時間を有する前記第１のＴＲＳバーストと前記第２のバースト持続時間を有する前記第２のＴＲＳバーストとを検出することは、
前記時間間隔の各インスタンス内で、第１のロケーションにおいて前記第１のバースト持続時間を有するＴＲＳバーストと前記オフセットに対応する第２のロケーションにおいて前記第２のバースト持続時間を有するＴＲＳバーストとについてモニタすることを備える、
請求項４に記載の方法。
【請求項６】
前記第１のリソースが送信時間間隔（ＴＴＩ）中に前記第２のリソースと衝突するようにスケジュールされていると決定することをさらに備える、
請求項４に記載の方法。
【請求項７】
前記構成情報またはルールに少なくとも部分的に基づいて、前記第２のリソースに対する前記第１のリソースの優先順序を決定することと、
前記優先順序に少なくとも部分的に基づいて前記ＴＴＩ内で前記第１のＴＲＳバーストまたは前記第２のＴＲＳバーストのうちの１つについてモニタすることと
をさらに備える、請求項６に記載の方法。
【請求項８】
前記構成情報から、少なくとも１つのＴＲＳパラメータを決定することをさらに備え、前記少なくとも１つのＴＲＳパラメータは、ＴＲＳバースト持続時間パラメータ、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、
請求項１に記載の方法。
【請求項９】
前記構成情報から、複数のバースト持続時間と、前記複数のバースト持続時間の各々についての対応する時間間隔持続時間とを決定すること、前記複数のバースト持続時間は、前記第１および第２のバースト持続時間を含む、と、
前記複数のバースト持続時間と、前記対応する時間間隔持続時間とに少なくとも部分的に基づいて、複数のＴＲＳバーストについてモニタすること、前記複数のＴＲＳバーストは、前記第１および第２のＴＲＳバーストを含む、と
をさらに備える、請求項１に記載の方法。
【請求項１０】
前記構成情報から、周波数オフセットパラメータを決定することと、
前記周波数オフセットパラメータに少なくとも部分的に基づいて前記第１のＴＲＳバーストについてモニタすることと
をさらに備える、請求項１に記載の方法。
【請求項１１】
前記構成情報から、トーン間隔を決定することをさらに備え、前記第１のＴＲＳバーストについてモニタすることは、前記トーン間隔に少なくとも部分的に基づく、
請求項１０に記載の方法。
【請求項１２】
基地局によるワイヤレス通信のための方法であって、
追跡基準信号（ＴＲＳ）バーストのための第１のバースト持続時間と第２のバースト持続時間とを選択すること、前記第１のバースト持続時間は、前記第２のバースト持続時間とは異なる、と、
前記第１のバースト持続時間と前記第２のバースト持続時間とを示す構成情報を送信することと、
前記第１のバースト持続時間を有する第１のＴＲＳバーストと前記第２のバースト持続時間を有する第２のＴＲＳバーストとを送信することと
を備える、方法。
【請求項１３】
前記第１のＴＲＳバーストと前記第２のＴＲＳバーストとを送信することは、
複数の時間間隔の各時間間隔において前記第１のＴＲＳバーストと前記第２のＴＲＳバーストの送信を交互に行うことを備える、
請求項１２に記載の方法。
【請求項１４】
ユーザ機器（ＵＥ）に第１のリソースと第２のリソースとを割り振ることをさらに備え、前記構成情報は、前記第１のリソースと前記第２のリソースとの各々が前記ＵＥに割り振られていることを示す、
請求項１２に記載の方法。
【請求項１５】
前記第１のリソースと前記第２のリソースとの間の時間オフセットを決定することをさらに備え、前記構成情報は、前記時間オフセットを示す、
請求項１４に記載の方法。
【請求項１６】
前記第２のリソースに対する前記第１のリソースの優先順序を決定することをさらに備え、前記構成情報は、前記優先順序を示す、
請求項１４に記載の方法。
【請求項１７】
複数のバースト持続時間と、前記複数のバースト持続時間の各々についての対応する時間間隔持続時間とを決定することをさらに備え前記複数のバースト持続時間は、前記第１および第２のバースト持続時間を含み、前記構成情報は、前記複数のバースト持続時間と、前記対応する時間間隔持続時間とを示す、
請求項１４に記載の方法。
【請求項１８】
ユーザ機器（ＵＥ）によるワイヤレス通信のための方法であって、
周波数オフセットパラメータを示す構成情報を受信することと、
前記周波数オフセットパラメータに少なくとも部分的に基づいて周波数帯域内の追跡基準信号（ＴＲＳ）送信を検出することと、
前記検出されたＴＲＳ送信に少なくとも部分的に基づいてリソース追跡を実行することと
を備える、方法。
【請求項１９】
前記構成情報から、トーン間隔を決定することと、
基準周波数に対する前記周波数帯域内の前記ＴＲＳ送信の少なくとも１つのＴＲＳトーンのロケーションを決定するために前記周波数オフセットパラメータと前記トーン間隔とを処理することと
をさらに備える、請求項１８に記載の方法。
【請求項２０】
第１の送信時間間隔（ＴＴＩ）に対応する第１のオフセット値と第２のＴＴＩに対応する第２のオフセット値とを決定するために前記周波数オフセットパラメータを処理することと、
前記第１のオフセット値に対応する前記第１のＴＴＩ内で前記ＴＲＳ送信のＴＲＳトーンと、前記第２のオフセット値に対応する前記第２のＴＴＩ内で前記ＴＲＳ送信のＴＲＳトーンとについてモニタすることと
をさらに備える、請求項１８に記載の方法。
【請求項２１】
前記周波数オフセットパラメータは、リソース要素の数でオフセットを示す、
請求項１８に記載の方法。
【請求項２２】
前記周波数オフセットパラメータは、システム帯域幅内の複数の異なる帯域幅部分の帯域幅部分を示す、
請求項１８に記載の方法。
【請求項２３】
前記構成情報から、前記ＴＲＳ送信のための第１のバースト持続時間と第２のバースト持続時間とを決定することと、
前記構成情報に少なくとも部分的に基づいて前記第１のバースト持続時間を有する前記ＴＲＳ送信と前記第２のバースト持続時間を有する第２のＴＲＳ送信とについてモニタすることと
をさらに備える、請求項１８に記載の方法。
【請求項２４】
前記周波数オフセットパラメータから、複数のシンボルインデックスのオフセット値を決定することと、
前記複数のシンボルインデックスに対応する複数のそれぞれのシンボル期間において、前記ＴＲＳ送信のＴＲＳトーンについてモニタすることと
をさらに備える、請求項１８に記載の方法。
【請求項２５】
基地局によるワイヤレス通信のための方法であって、
周波数オフセットパラメータを選択することと、
前記周波数オフセットパラメータを示す構成情報を送信することと、
前記周波数オフセットパラメータに対応する周波数オフセットを有する追跡基準信号（ＴＲＳ）送信を送信することと
を備える、方法。
【請求項２６】
前記ＴＲＳ送信のためのトーン間隔を決定することをさらに備え、前記構成情報は、前記トーン間隔を示す、
請求項２５に記載の方法。
【請求項２７】
第１の送信時間間隔（ＴＴＩ）に対応する第１のオフセット値と第２のＴＴＩに対応する第２のオフセット値とを決定すること、ここにおいて、前記周波数オフセットパラメータは、前記第１のオフセット値と前記第２のオフセット値とを示し、前記ＴＲＳ送信を送信することは、
前記第１のオフセット値に対応する前記第１のＴＴＩ内で前記ＴＲＳ送信のＴＲＳトーンを送信し、前記第２のオフセット値に対応する前記第２のＴＴＩ内で前記ＴＲＳ送信のＴＲＳトーンを送信することを備える、
請求項２５に記載の方法。
【請求項２８】
前記周波数オフセットパラメータは、リソース要素の数でオフセットを示す、
請求項２７に記載の方法。
【請求項２９】
前記周波数オフセットパラメータは、システム帯域幅内の複数の異なる帯域幅部分の帯域幅部分を示す、
請求項２７に記載の方法。
【請求項３０】
複数のシンボルインデックスのオフセット値を決定することをさらに備え、前記構成情報は、前記複数のシンボルインデックスを示す、
請求項２７に記載の方法。
【請求項３１】
ワイヤレス通信のための装置であって、
追跡基準信号（ＴＲＳ）バーストのための第１のバースト持続時間と第２のバースト持続時間とを示す構成情報を受信するための手段、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出するための手段と、
前記検出された第１のＴＲＳバーストと前記第２のＴＲＳバーストとに少なくとも部分的に基づいてリソース追跡を実行するための手段と
を備える、装置。
【請求項３２】
前記構成情報から、前記第１のバースト持続時間が第１の時間間隔に対応し、前記第２のバースト持続時間が第２の時間間隔に対応すると決定するための手段をさらに備え、前記第２の時間間隔は、前記第１の時間間隔の後に発生する、
請求項３１に記載の装置。
【請求項３３】
前記構成情報から、ＴＲＳバーストの送信が、複数の時間間隔の各時間間隔において前記第１のバースト持続時間と前記第２のバースト持続時間とで交互になるようにスケジュールされていると決定するための手段をさらに備える、
請求項３１に記載の装置。
【請求項３４】
前記構成情報から、第１のリソースと第２のリソースとがユーザ機器（ＵＥ）に割り振られていると決定するための手段をさらに備え、前記第１のバースト持続時間は、前記第１のリソースに対応し、前記第２のバースト持続時間は、前記第２のリソースに対応する
請求項３１に記載の装置。
【請求項３５】
前記構成情報から、時間間隔の周期性と時間オフセットとを決定するための手段をさらに備え、前記第１のバースト持続時間を有する前記第１のＴＲＳバーストと前記第２のバースト持続時間を有する前記第２のＴＲＳバーストとを前記検出するための手段は、
前記時間間隔の各インスタンス内で、第１のロケーションにおいて前記第１のバースト持続時間を有するＴＲＳバーストと前記オフセットに対応する第２のロケーションにおいて前記第２のバースト持続時間を有するＴＲＳバーストとについてモニタするための手段をさらに備える、
請求項３４に記載の装置。
【請求項３６】
前記第１のリソースが送信時間間隔（ＴＴＩ）中に前記第２のリソースと衝突するようにスケジュールされていると決定するための手段をさらに備える、
請求項３４に記載の装置。
【請求項３７】
前記構成情報またはルールに少なくとも部分的に基づいて、前記第２のリソースに対する前記第１のリソースの優先順序を決定するための手段と、
前記優先順序に少なくとも部分的に基づいて前記ＴＴＩ内で前記第１のＴＲＳバーストまたは前記第２のＴＲＳバーストのうちの１つについてモニタするための手段と
をさらに備える、請求項３６に記載の装置。
【請求項３８】
前記構成情報から、少なくとも１つのＴＲＳパラメータを決定するための手段をさらに備え、前記少なくとも１つのＴＲＳパラメータは、ＴＲＳバースト持続時間、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、
請求項３６に記載の装置。
【請求項３９】
ワイヤレス通信のための装置であって、
追跡基準信号（ＴＲＳ）バーストのための第１のバースト持続時間と第２のバースト持続時間とを選択するための手段、前記第１のバースト持続時間は、前記第２のバースト持続時間とは異なる、と、
前記第１のバースト持続時間と前記第２のバースト持続時間とを示す構成情報を送信するための手段と、
前記第１のバースト持続時間を有する第１のＴＲＳバーストと前記第２のバースト持続時間を有する第２のＴＲＳバーストとを送信するための手段と
を備える、装置。
【請求項４０】
前記第１のＴＲＳバーストと前記第２のＴＲＳバーストとを前記送信するための手段は、
複数の時間間隔の各時間間隔において前記第１のＴＲＳバーストと前記第２のＴＲＳバーストの送信を交互に行うための手段さらに備える、
請求項３９に記載の装置。
【請求項４１】
ユーザ機器（ＵＥ）に第１のリソースと第２のリソースとを割り振るための手段をさらに備え、前記構成情報は、前記第１のリソースと前記第２のリソースとの各々が前記ＵＥに割り振られていることを示す、
請求項３９に記載の装置。
【請求項４２】
前記第１のリソースと前記第２のリソースとの間の時間オフセットを決定するための手段をさらに備え、前記構成情報が前記時間オフセットを示す、
請求項４１に記載の装置。
【請求項４３】
前記第２のリソースに対する前記第１のリソースの優先順序を決定するための手段をさらに備え、前記構成情報は、前記優先順序を示す、
請求項４１に記載の装置。
【請求項４４】
ワイヤレス通信のための装置であって、
周波数オフセットパラメータを示す構成情報を受信するための手段と、
前記周波数オフセットパラメータに少なくとも部分的に基づいて周波数帯域内の追跡基準信号（ＴＲＳ）送信を検出するための手段と、
前記検出されたＴＲＳ送信に少なくとも部分的に基づいてリソース追跡を実行するための手段と
を備える、装置。
【請求項４５】
前記構成情報から、トーン間隔を決定するための手段と、
基準周波数に対する前記周波数帯域内の前記ＴＲＳ送信の少なくとも１つのＴＲＳトーンのロケーションを決定するために前記周波数オフセットパラメータと前記トーン間隔とを処理するための手段と
をさらに備える、請求項４４に記載の装置。
【請求項４６】
第１の送信時間間隔（ＴＴＩ）に対応する第１のオフセット値と第２のＴＴＩに対応する第２のオフセット値とを決定するために前記周波数オフセットパラメータを処理するための手段と、
前記第１のオフセット値に対応する前記第１のＴＴＩ内で前記ＴＲＳ送信のＴＲＳトーンと、前記第２のオフセット値に対応する前記第２のＴＴＩ内で前記ＴＲＳ送信のＴＲＳトーンとについてモニタするための手段と
をさらに備える、請求項４４に記載の装置。
【請求項４７】
ワイヤレス通信のための装置であって、
周波数オフセットパラメータを選択するための手段と、
前記周波数オフセットパラメータを示す構成情報を送信するための手段と、
前記周波数オフセットパラメータに対応する周波数オフセットを有する追跡基準信号（ＴＲＳ）送信を送信するための手段と
を備える、装置。
【請求項４８】
前記ＴＲＳ送信のためのトーン間隔を決定するための手段をさらに備え、前記構成情報は、前記トーン間隔を示す、
請求項４７に記載の装置。
【請求項４９】
第１の送信時間間隔（ＴＴＩ）に対応する第１のオフセット値と第２のＴＴＩに対応する第２のオフセット値とを決定するための手段をさらに備え、前記周波数オフセットパラメータは、前記第１のオフセット値と前記第２のオフセット値とを示し、前記ＴＲＳ送信を前記送信するための手段は、
前記第１のオフセット値に対応する前記第１のＴＴＩ内で前記ＴＲＳ送信のＴＲＳトーンを送信し、前記第２のオフセット値に対応する前記第２のＴＴＩ内で前記ＴＲＳ送信のＴＲＳトーンを送信するための手段をさらに備える、
請求項４７に記載の装置。
【発明の詳細な説明】
【相互参照】
【０００１】
[0001]本特許出願は、各々が本出願の譲受人に譲渡された、２０１７年１０月９日に出願された「Ｃｏｎｆｉｇｕｒａｔｉｏｎ  Ａｓｐｅｃｔｓ  ｏｆ  ａ  Ｔｒａｃｋｉｎｇ  Ｒｅｆｅｒｅｎｃｅ  Ｓｉｇｎａｌ  ｉｎ  Ｎｅｗ  Ｒａｄｉｏ」と題する、Ｎａｍらによる米国仮特許出願第６２／５６９，９４０号、および２０１８年１０月２日に出願された「Ｃｏｎｆｉｇｕｒａｔｉｏｎ  Ａｓｐｅｃｔｓ  ｏｆ  ａ  Ｔｒａｃｋｉｎｇ  Ｒｅｆｅｒｅｎｃｅ  Ｓｉｇｎａｌ  ｉｎ  Ｎｅｗ  Ｒａｄｉｏ」と題する、Ｎａｍらによる米国特許出願第１６／１４９，７２３号の優先権を主張する。
【背景技術】
【０００２】
[0002]以下は、一般にワイヤレス通信に関し、より詳細には、新無線における追跡基準信号の構成態様に関する。
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システムまたはＬＴＥアドバンスト（ＬＴＥ−Ａ）システムなどの第４世代（４Ｇ）システムおよび新無線（ＮＲ）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−ｓ−ＯＦＤＭ）などの技術を採用し得る。ワイヤレス多元接続通信システムは、場合によってはユーザ機器（ＵＥ）として知られていることがある、複数の通信デバイスのための通信を各々が同時にサポートする、いくつかの基地局またはネットワークアクセスノードを含み得る。
【０００４】
[0004]ワイヤレス通信システムは、基地局とＵＥとを含む通信デバイス間の通信を可能にするために時間および周波数同期を維持しようとする。ＬＴＥでは、基地局は、あらゆるスロットおよびリソースブロック中でセル固有基準信号を送信し、基地局の範囲内のＵＥは、基地局との時間および周波数同期を維持するために受信されたセル固有基準信号を使用して時間追跡、周波数追跡、またはその両方を実行し得る。ＮＲシステムは、あらゆるスロットおよびリソースブロック中でセル固有基準信号を同様に送信しない。代わりに、ＮＲシステムにおける基地局は、ＵＥが時間追跡、周波数追跡、またはその両方のために使用し得る追跡基準信号を送信し得る。従来の追跡基準信号送信技法は、時間追跡と周波数追跡との間でトレードオフのバランスを適切にとることができず、劣化した時間および周波数同期、増加した追跡基準信号オーバーヘッドによるより低いチャネルスループットなどを生じる。
【発明の概要】
【０００５】
[0005]説明される技法は、新無線における追跡基準信号の構成態様をサポートする改善された方法、システム、デバイス、または装置に関する。概して、説明される技法は、追跡基準信号（ＴＲＳ）バーストの送信から生じたオーバーヘッドをも減少しながら、ユーザ機器（ＵＥ）が基地局との時間および周波数同期を維持することを可能にするＴＲＳ構成を与える。ＴＲＳは、時間追跡、周波数追跡などのために使用され得る多目的基準信号である。本明細書で説明されるＴＲＳ構成は、ＵＥが基地局との時間および周波数同期を維持することを可能にするために複数の異なる使用法をサポートし得る。
【０００６】
[0006]いくつかの例では、ＴＲＳバーストの持続時間（たとえば、長さ）は、リソース追跡を向上させるためにＴＲＳ構成中で変更され得る。たとえば、基地局は、第１のバースト持続時間と第２のバースト持続時間とを含むＴＲＳバーストのためのバースト持続時間（または長さ）のセットを選択し得、第１のバースト持続時間は、第２のバースト持続時間とは異なる。基地局は、ＵＥにバースト持続時間のセットを示す構成情報を送信し得る。基地局は、第１のバースト持続時間を有する第１のＴＲＳバーストと第２のバースト持続時間を有する第２のＴＲＳバーストとを送信し得る。ＵＥは、構成情報に少なくとも部分的に基づいて第１のバースト持続時間を有する第１のＴＲＳバーストと第２のバースト持続時間を有する第２のＴＲＳバーストとを検出し得、ＵＥは、検出された第１のＴＲＳバーストと第２のＴＲＳバーストとに少なくとも部分的に基づいてリソース追跡を実行し得る。場合によっては、リソース追跡は、時間同期を維持するための時間追跡、周波数同期を維持するための周波数追跡などであり得る。
【０００７】
[0007]いくつかの例では、ＴＲＳ送信の周波数オフセットは、リソース追跡を向上させるためにＴＲＳ構成中で変更され得る。たとえば、基地局は、周波数オフセットパラメータを選択し得る。周波数オフセットパラメータは、基準周波数に対するオフセットを示し得、リソース要素の数、周波数帯域、周波数帯域幅部分などで表され得る。場合によっては、オフセットは、特定の送信時間間隔内の（たとえば、スロット内の）シンボルインデックスのセットについて示され得、周波数オフセットパラメータは、シンボルインデックスのセット中のシンボルインデックスごとにオフセット値を指定し得る。基地局は、ＵＥに周波数オフセットパラメータを示す構成情報を送信し得、ＵＥは、構成情報を受信し得る。基地局は、周波数オフセットパラメータに対応する周波数オフセットを有するＴＲＳ送信を送信し得る。ＵＥは、周波数オフセットパラメータに少なくとも部分的に基づいて周波数帯域内のＴＲＳ送信を検出し、検出されたＴＲＳ送信に少なくとも部分的に基づいてリソース追跡を実行し得る。
【０００８】
[0008]ワイヤレス通信の方法について説明する。本方法は、ＴＲＳバーストのための第１のバースト持続時間と第２のバースト持続時間とを示す構成情報を受信することと、第１のバースト持続時間は、第２のバースト持続時間とは異なる、構成情報に少なくとも部分的に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに少なくとも部分的に基づいてリソース追跡を実行することとを含み得る。
【０００９】
[0009]ワイヤレス通信のための装置について説明する。本装置は、ＴＲＳバーストのための第１のバースト持続時間と第２のバースト持続時間とを示す構成情報を受信するための手段と、第１のバースト持続時間は、第２のバースト持続時間とは異なる、構成情報に少なくとも部分的に基づいて第１のバースト持続時間を有する第１のＴＲＳバーストと第２のバースト持続時間を有する第２のＴＲＳバーストとを検出するための手段と、検出された第１のＴＲＳバーストと第２のＴＲＳバーストとに少なくとも部分的に基づいてリソース追跡を実行するための手段とを含み得る。
【００１０】
[0010]ワイヤレス通信のための別の装置について説明する。本装置は、プロセッサと、プロセッサと電子通信しているメモリと、メモリに記憶された命令とを含み得る。命令は、ＴＲＳバーストのための第１のバースト持続時間と第２のバースト持続時間とを示す構成情報を受信することと、第１のバースト持続時間は、第２のバースト持続時間とは異なる、構成情報に少なくとも部分的に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに少なくとも部分的に基づいてリソース追跡を実行することとをプロセッサに行わせるように動作可能であり得る。
【００１１】
[0011]ワイヤレス通信のための非一時的コンピュータ可読媒体について説明する。非一時的コンピュータ可読媒体は、ＴＲＳバーストのための第１のバースト持続時間と第２のバースト持続時間とを示す構成情報を受信することと、第１のバースト持続時間は、第２のバースト持続時間とは異なる、構成情報に少なくとも部分的に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに少なくとも部分的に基づいてリソース追跡を実行することとをプロセッサに行わせるように動作可能な命令を含み得る。
【００１２】
[0012]上記で説明される方法、装置、および非一時的コンピュータ可読媒体のいくつかの例は、構成情報から、第１のバースト持続時間が第１の時間間隔に対応し、第２のバースト持続時間が第２の時間間隔に対応すると決定すること、第２の時間間隔が、第１の時間間隔の後に発生する、を行うためのプロセス、特徴、手段、または命令をさらに含み得る。
【００１３】
[0013]上記で説明される方法、装置、および非一時的コンピュータ可読媒体のいくつかの例は、構成情報から、ＴＲＳバーストの送信が、複数の時間間隔の各時間間隔において第１のバースト持続時間と第２のバースト持続時間とで交互になるようにスケジュールされ得ると決定するためのプロセス、特徴、手段、または命令をさらに含み得る。
【００１４】
[0014]上記で説明される方法、装置、および非一時的コンピュータ可読媒体のいくつかの例は、構成情報から、第１のリソースと第２のリソースとがＵＥに割り振られていると決定すること、ここにおいて、第１のバースト持続時間が第１のリソースに対応し、第２のバースト持続時間が第２のリソースに対応する、を行うためのプロセス、特徴、手段、または命令をさらに含み得る。
【００１５】
[0015]上記で説明される方法、装置、および非一時的コンピュータ可読媒体のいくつかの例では、構成情報から、時間間隔の周期性と時間オフセットとを決定すること、ここにおいて、第１のバースト持続時間を有する第１のＴＲＳバーストと第２のバースト持続時間を有する第２のＴＲＳバーストとを検出することが、時間間隔の各インスタンス内で、第１のロケーションにおいて第１のバースト持続時間を有するＴＲＳバーストとオフセットに対応する第２のロケーションにおいて第２のバースト持続時間を有するＴＲＳバーストとについてモニタすることを含む。
【００１６】
[0016]上記で説明される方法、装置、および非一時的コンピュータ可読媒体のいくつかの例は、第１のリソースが送信時間間隔（ＴＴＩ）中に第２のリソースと衝突するようにスケジュールされていることがあると決定するためのプロセス、特徴、手段、または命令をさらに含み得る。
【００１７】
[0017]上記で説明される方法、装置、および非一時的コンピュータ可読媒体のいくつかの例は、構成情報またはルールに少なくとも部分的に基づいて、第２のリソースに対する第１のリソースの優先順序を決定するためのプロセス、特徴、手段、または命令をさらに含み得る。上記で説明される方法、装置、および非一時的コンピュータ可読媒体のいくつかの例は、優先順序に少なくとも部分的に基づいてＴＴＩ内で第１のＴＲＳバーストまたは第２のＴＲＳバーストのうちの１つについてモニタするためのプロセス、特徴、手段、または命令をさらに含み得る。
【００１８】
[0018]上記で説明される方法、装置、および非一時的コンピュータ可読媒体のいくつかの例は、構成情報から、少なくとも１つのＴＲＳパラメータを決定すること、ここにおいて、少なくとも１つのＴＲＳパラメータが、ＴＲＳバースト持続時間パラメータ、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、を行うためのプロセス、特徴、手段、または命令をさらに含み得る。
【００１９】
[0019]上記で説明される方法、装置、および非一時的コンピュータ可読媒体のいくつかの例は、構成情報から、複数のバースト持続時間と、複数のバースト持続時間の各々についての対応する時間間隔持続時間とを決定すること、複数のバースト持続時間が、第１および第２のバースト持続時間を含む、を行うためのプロセス、特徴、手段、または命令をさらに含み得る。上記で説明される方法、装置、および非一時的コンピュータ可読媒体のいくつかの例は、複数のバースト持続時間と、対応する時間間隔持続時間とに少なくとも部分的に基づいて、複数のＴＲＳバーストについてモニタすること、複数のＴＲＳバーストが、第１および第２のＴＲＳバーストを含む、を行うためのプロセス、特徴、手段、または命令をさらに含み得る。
【００２０】
[0020]上記で説明される方法、装置、および非一時的コンピュータ可読媒体のいくつかの例は、構成情報から、周波数オフセットパラメータを決定するためのプロセス、特徴、手段、または命令をさらに含み得る。上記で説明される方法、装置、および非一時的コンピュータ可読媒体のいくつかの例は、周波数オフセットパラメータに少なくとも部分的に基づいて第１のＴＲＳバーストについてモニタするためのプロセス、特徴、手段、または命令をさらに含み得る。
【００２１】
[0021]上記で説明される方法、装置、および非一時的コンピュータ可読媒体のいくつかの例は、構成情報から、トーン間隔を決定すること、ここにおいて、第１のＴＲＳバーストについてモニタすることが、トーン間隔に少なくとも部分的に基づき得る、を行うためのプロセス、特徴、手段、または命令をさらに含み得る。
【００２２】
[0022]ワイヤレス通信の方法について説明する。本方法は、ＴＲＳバーストのための第１のバースト持続時間と第２のバースト持続時間とを選択することと、第１のバースト持続時間は、第２のバースト持続時間とは異なる、第１のバースト持続時間と第２のバースト持続時間とを示す構成情報を送信することと、第１のバースト持続時間を有する第１のＴＲＳバーストと第２のバースト持続時間を有する第２のＴＲＳバーストとを送信することとを含み得る。
【００２３】
[0023]ワイヤレス通信のための装置について説明する。本装置は、ＴＲＳバーストのための第１のバースト持続時間と第２のバースト持続時間とを選択するための手段と、第１のバースト持続時間は、第２のバースト持続時間とは異なる、第１のバースト持続時間と第２のバースト持続時間とを示す構成情報を送信するための手段と、第１のバースト持続時間を有する第１のＴＲＳバーストと第２のバースト持続時間を有する第２のＴＲＳバーストとを送信するための手段とを含み得る。
【００２４】
[0024]ワイヤレス通信のための別の装置について説明する。本装置は、プロセッサと、プロセッサと電子通信しているメモリと、メモリに記憶された命令とを含み得る。命令は、ＴＲＳバーストのための第１のバースト持続時間と第２のバースト持続時間とを選択することと、第１のバースト持続時間は、第２のバースト持続時間とは異なる、第１のバースト持続時間と第２のバースト持続時間とを示す構成情報を送信することと、第１のバースト持続時間を有する第１のＴＲＳバーストと第２のバースト持続時間を有する第２のＴＲＳバーストとを送信することとをプロセッサに行わせるように動作可能であり得る。
【００２５】
[0025]ワイヤレス通信のための非一時的コンピュータ可読媒体について説明する。非一時的コンピュータ可読媒体は、ＴＲＳバーストのための第１のバースト持続時間と第２のバースト持続時間とを選択することと、第１のバースト持続時間は、第２のバースト持続時間とは異なる、第１のバースト持続時間と第２のバースト持続時間とを示す構成情報を送信することと、第１のバースト持続時間を有する第１のＴＲＳバーストと第２のバースト持続時間を有する第２のＴＲＳバーストとを送信することとをプロセッサに行わせるように動作可能な命令を含み得る。
【００２６】
[0026]上記で説明される方法、装置、および非一時的コンピュータ可読媒体のいくつかの例では、第１のＴＲＳバーストと第２のＴＲＳバーストとを送信することが、複数の時間間隔の各時間間隔において第１のＴＲＳバーストと第２のＴＲＳバーストの送信を交互に行うことを含む。
【００２７】
[0027]上記で説明される方法、装置、および非一時的コンピュータ可読媒体のいくつかの例は、ＵＥに第１のリソースと第２のリソースとを割り振ること、ここにおいて、構成情報は、第１のリソースと第２のリソースとの各々がＵＥに割り振られていることがあることを示す、を行うためのプロセス、特徴、手段、または命令をさらに含み得る。
【００２８】
[0028]上記で説明される方法、装置、および非一時的コンピュータ可読媒体のいくつかの例は、第１のリソースと第２のリソースとの間の時間オフセットを決定すること、ここにおいて、構成情報が時間オフセットを示す、を行うためのプロセス、特徴、手段、または命令をさらに含み得る。
【００２９】
[0029]上記で説明される方法、装置、および非一時的コンピュータ可読媒体のいくつかの例は、第２のリソースに対する第１のリソースの優先順序を決定すること、ここにおいて、構成情報は、優先順序を示す、を行うためのプロセス、特徴、手段、または命令をさらに含み得る。
【００３０】
[0030]上記で説明される方法、装置、および非一時的コンピュータ可読媒体のいくつかの例は、複数のバースト持続時間と、複数のバースト持続時間の各々についての対応する時間間隔持続時間（たとえば、対応する時間間隔長）とを決定すること、複数のバースト持続時間は、第１および第２のバースト持続時間を含む、ここにおいて、構成情報は、複数のバースト持続時間と、対応する時間間隔持続時間とを示す、を行うためのプロセス、特徴、手段、または命令をさらに含み得る。
【００３１】
[0031]ワイヤレス通信の方法について説明する。本方法は、周波数オフセットパラメータを示す構成情報を受信することと、周波数オフセットパラメータに少なくとも部分的に基づいて周波数帯域内のＴＲＳ送信を検出することと、検出されたＴＲＳ送信に少なくとも部分的に基づいてリソース追跡を実行することとを含み得る。
【００３２】
[0032]ワイヤレス通信のための装置について説明する。本装置は、周波数オフセットパラメータを示す構成情報を受信するための手段と、周波数オフセットパラメータに少なくとも部分的に基づいて周波数帯域内のＴＲＳ送信を検出するための手段と、検出されたＴＲＳ送信に少なくとも部分的に基づいてリソース追跡を実行するための手段とを含み得る。
【００３３】
[0033]ワイヤレス通信のための別の装置について説明する。本装置は、プロセッサと、プロセッサと電子通信しているメモリと、メモリに記憶された命令とを含み得る。命令は、周波数オフセットパラメータを示す構成情報を受信することと、周波数オフセットパラメータに少なくとも部分的に基づいて周波数帯域内のＴＲＳ送信を検出することと、検出されたＴＲＳ送信に少なくとも部分的に基づいてリソース追跡を実行することとをプロセッサに行わせるように動作可能であり得る。
【００３４】
[0034]ワイヤレス通信のための非一時的コンピュータ可読媒体について説明する。非一時的コンピュータ可読媒体は、周波数オフセットパラメータを示す構成情報を受信することと、周波数オフセットパラメータに少なくとも部分的に基づいて周波数帯域内のＴＲＳ送信を検出することと、検出されたＴＲＳ送信に少なくとも部分的に基づいてリソース追跡を実行することとをプロセッサに行わせるように動作可能な命令を含み得る。
【００３５】
[0035]上記で説明される方法、装置、および非一時的コンピュータ可読媒体のいくつかの例は、構成情報から、トーン間隔を決定するためのプロセス、特徴、手段、または命令をさらに含み得る。上記で説明される方法、装置、および非一時的コンピュータ可読媒体のいくつかの例は、基準周波数に対する周波数帯域内のＴＲＳ送信の少なくとも１つのＴＲＳトーンのロケーションを決定するために周波数オフセットパラメータとトーン間隔とを処理するためのプロセス、特徴、手段、または命令をさらに含み得る。
【００３６】
[0036]上記で説明される方法、装置、および非一時的コンピュータ可読媒体のいくつかの例は、第１のＴＴＩに対応する第１のオフセット値と第２のＴＴＩに対応する第２のオフセット値とを決定するために周波数オフセットパラメータを処理するためのプロセス、特徴、手段、または命令をさらに含み得る。上記で説明される方法、装置、および非一時的コンピュータ可読媒体のいくつかの例は、第１のオフセット値に対応する第１のＴＴＩ内でＴＲＳ送信のＴＲＳトーンと、第２のオフセット値に対応する第２のＴＴＩ内でＴＲＳ送信のＴＲＳトーンとについてモニタするためのプロセス、特徴、手段、または命令をさらに含み得る。
【００３７】
[0037]上記で説明される方法、装置、および非一時的コンピュータ可読媒体のいくつかの例では、周波数オフセットパラメータは、リソース要素の数でオフセットを示す。
【００３８】
[0038]上記で説明される方法、装置、および非一時的コンピュータ可読媒体のいくつかの例では、周波数オフセットパラメータは、システム帯域幅内の複数の異なる帯域幅部分の帯域幅部分を示す。
【００３９】
[0039]上記で説明される方法、装置、および非一時的コンピュータ可読媒体のいくつかの例は、構成情報から、ＴＲＳ送信のための第１のバースト持続時間と第２のバースト持続時間とを決定するためのプロセス、特徴、手段、または命令をさらに含み得る。上記で説明される方法、装置、および非一時的コンピュータ可読媒体のいくつかの例は、構成情報に少なくとも部分的に基づいて第１のバースト持続時間を有するＴＲＳ送信と第２のバースト持続時間を有する第２のＴＲＳ送信とについてモニタするためのプロセス、特徴、手段、または命令をさらに含み得る。
【００４０】
[0040]上記で説明される方法、装置、および非一時的コンピュータ可読媒体のいくつかの例は、周波数オフセットパラメータから、複数のシンボルインデックスのオフセット値を決定するためのプロセス、特徴、手段、または命令をさらに含み得る。上記で説明される方法、装置、および非一時的コンピュータ可読媒体のいくつかの例は、複数のシンボルインデックスに対応する複数のそれぞれのシンボル期間において、ＴＲＳ送信のＴＲＳトーンについてモニタするためのプロセス、特徴、手段、または命令をさらに含み得る。
【００４１】
[0041]ワイヤレス通信の方法について説明する。本方法は、周波数オフセットパラメータを選択することと、周波数オフセットパラメータを示す構成情報を送信することと、周波数オフセットパラメータに対応する周波数オフセットを有するＴＲＳ送信を送信することとを含み得る。
【００４２】
[0042]ワイヤレス通信のための装置について説明する。本装置は、周波数オフセットパラメータを選択するための手段と、周波数オフセットパラメータを示す構成情報を送信するための手段と、周波数オフセットパラメータに対応する周波数オフセットを有するＴＲＳ送信を送信するための手段とを含み得る。
【００４３】
[0043]ワイヤレス通信のための別の装置について説明する。本装置は、プロセッサと、プロセッサと電子通信しているメモリと、メモリに記憶された命令とを含み得る。命令は、周波数オフセットパラメータを選択することと、周波数オフセットパラメータを示す構成情報を送信することと、周波数オフセットパラメータに対応する周波数オフセットを有するＴＲＳ送信を送信することとをプロセッサに行わせるように動作可能であり得る。
【００４４】
[0044]ワイヤレス通信のための非一時的コンピュータ可読媒体について説明する。非一時的コンピュータ可読媒体は、周波数オフセットパラメータを選択することと、周波数オフセットパラメータを示す構成情報を送信することと、周波数オフセットパラメータに対応する周波数オフセットを有するＴＲＳ送信を送信することとをプロセッサに行わせるように動作可能な命令を含み得る。
【００４５】
[0045]上記で説明される方法、装置、および非一時的コンピュータ可読媒体のいくつかの例は、ＴＲＳ送信のためのトーン間隔を決定すること、ここにおいて、構成情報がトーン間隔を示す、を行うためのプロセス、特徴、手段、または命令をさらに含み得る。
【００４６】
[0046]上記で説明される方法、装置、および非一時的コンピュータ可読媒体のいくつかの例では、第１のＴＴＩに対応する第１のオフセット値と第２のＴＴＩに対応する第２のオフセット値とを決定すること、ここにおいて、周波数オフセットパラメータは、第１のオフセット値と第２のオフセット値とを示す、ここにおいて、ＴＲＳ送信を送信することが、第１のオフセット値に対応する第１のＴＴＩ内でＴＲＳ送信のＴＲＳトーンを送信し、第２のオフセット値に対応する第２のＴＴＩ内でＴＲＳ送信のＴＲＳトーンを送信することを含む。
【００４７】
[0047]上記で説明される方法、装置、および非一時的コンピュータ可読媒体のいくつかの例では、周波数オフセットパラメータは、リソース要素の数でオフセットを示す。
【００４８】
[0048]上記で説明される方法、装置、および非一時的コンピュータ可読媒体のいくつかの例では、周波数オフセットパラメータは、システム帯域幅内の複数の異なる帯域幅部分の帯域幅部分を示す。
【００４９】
[0049]上記で説明される方法、装置、および非一時的コンピュータ可読媒体のいくつかの例は、複数のシンボルインデックスのオフセット値を決定すること、ここにおいて、構成情報は、複数のシンボルインデックスを示す、を行うためのプロセス、特徴、手段、または命令をさらに含み得る。
【図面の簡単な説明】
【００５０】
【図１】本開示の態様による、新無線における追跡基準信号の構成態様をサポートするワイヤレス通信のためのシステムの一例を示す図。
【図２】本開示の態様による、新無線における追跡基準信号の構成態様をサポートするワイヤレス通信システムの一例を示す図。
【図３】本開示の態様による、新無線における追跡基準信号の構成態様をサポートするＴＲＳバーストパターン構成の一例を示す図。
【図４】本開示の態様による、新無線における追跡基準信号の構成態様をサポートするＴＲＳバーストパターン構成の一例を示す図。
【図５】本開示の態様による、新無線における追跡基準信号の構成態様をサポートするＴＲＳバーストパターン構成の一例を示す図。
【図６】本開示の態様による、新無線における追跡基準信号の構成態様をサポートするＴＲＳバーストパターン構成の一例を示す図。
【図７】本開示の態様による、新無線における追跡基準信号の構成態様をサポートするＴＲＳバーストパターン構成の一例を示す図。
【図８】本開示の態様による、新無線における追跡基準信号の構成態様をサポートするＴＲＳバーストパターン構成の一例を示す図。
【図９】本開示の態様による、新無線における追跡基準信号の構成態様をサポートするプロセスフローの例を示す図。
【図１０】本開示の態様による、新無線における追跡基準信号の構成態様をサポートするプロセスフローの例を示す図。
【図１１】本開示の態様による、新無線における追跡基準信号の構成態様をサポートするデバイスのブロック図。
【図１２】本開示の態様による、新無線における追跡基準信号の構成態様をサポートするデバイスのブロック図。
【図１３】本開示の態様による、新無線における追跡基準信号の構成態様をサポートするデバイスのブロック図。
【図１４】本開示の態様による、新無線における追跡基準信号の構成態様をサポートするＵＥを含むシステムのブロック図。
【図１５】本開示の態様による、新無線における追跡基準信号の構成態様をサポートするデバイスのブロック図。
【図１６】本開示の態様による、新無線における追跡基準信号の構成態様をサポートするデバイスのブロック図。
【図１７】本開示の態様による、新無線における追跡基準信号の構成態様をサポートするデバイスのブロック図。
【図１８】本開示の態様による、新無線における追跡基準信号の構成態様をサポートする基地局を含むシステムのブロック図。
【図１９】本開示の態様による、新無線における追跡基準信号の構成態様のための方法を示す図。
【図２０】本開示の態様による、新無線における追跡基準信号の構成態様のための方法を示す図。
【図２１】本開示の態様による、新無線における追跡基準信号の構成態様のための方法を示す図。
【図２２】本開示の態様による、新無線における追跡基準信号の構成態様のための方法を示す図。
【図２３】本開示の態様による、新無線における追跡基準信号の構成態様のための方法を示す図。
【図２４】本開示の態様による、新無線における追跡基準信号の構成態様のための方法を示す図。
【発明を実施するための形態】
【００５１】
[0059]説明される技法は、新無線における追跡基準信号の構成態様をサポートする改善された方法、システム、デバイス、または装置に関する。追跡基準信号（ＴＲＳ）は、ＴＲＳバーストの送信から生じたオーバーヘッドをも減少しながら、ユーザ機器（ＵＥ）が基地局との時間および周波数同期を維持することを可能にするように構成され得る。ＴＲＳは、時間追跡、周波数追跡などのために使用され得る。本明細書で説明されるＴＲＳ構成は、ＵＥが基地局との時間および周波数同期を維持することを可能にするために複数の異なる使用法をサポートし得る。場合によっては、ＴＲＳは、デバイス固有の方法で上位レイヤシグナリングで構成され得る。いくつかの受信機（たとえば、高度受信機）では、ＵＥは、ドップラー拡散の推定、遅延拡散、電力遅延プロフィルなどを含む時間および／または周波数追跡に加えた目的のためにＴＲＳを使用し得る。
【００５２】
[0060]いくつかの例では、ＴＲＳバーストの持続時間（たとえば、長さ）は、リソース追跡を向上させるためにＴＲＳ構成中で変更され得る。たとえば、基地局は、第１のバースト持続時間と第２のバースト持続時間とを含むＴＲＳバーストのためのバースト持続時間のセット（たとえば、またはバースト長のセット）を選択し得、ここで、第１のバースト持続時間は、第２のバースト持続時間とは異なる。基地局は、ＵＥにバースト持続時間のセットを示す構成情報を送信し得る。基地局は、第１のバースト持続時間を有する第１のＴＲＳバーストと第２のバースト持続時間を有する第２のＴＲＳバーストとを送信し得る。ＵＥは、構成情報に少なくとも部分的に基づいて第１のバースト持続時間を有する第１のＴＲＳバーストと第２のバースト持続時間を有する第２のＴＲＳバーストとを検出し得、ＵＥは、検出された第１のＴＲＳバーストと第２のＴＲＳバーストとに少なくとも部分的に基づいてリソース追跡を実行し得る。場合によっては、リソース追跡は、時間同期を維持するための時間追跡、周波数同期を維持するための周波数追跡などであり得る。
【００５３】
[0061]いくつかの例では、ＴＲＳ送信の周波数オフセットは、リソース追跡を向上させるためにＴＲＳ構成中で変更され得る。たとえば、基地局は、周波数オフセットパラメータを選択し得る。周波数オフセットパラメータは、基準周波数に対するオフセットを示し得、リソース要素の数、周波数帯域、周波数帯域幅部分などで表され得る。場合によっては、オフセットは、特定の送信時間間隔内の（たとえば、スロット内の）シンボルインデックスのセットについて示され得、周波数オフセットパラメータは、シンボルインデックスのセット中のシンボルインデックスごとにオフセット値を指定し得る。基地局は、ＵＥに周波数オフセットパラメータを示す構成情報を送信し得、ＵＥは、構成情報を受信し得る。基地局は、周波数オフセットパラメータに対応する周波数オフセットを有するＴＲＳ送信を送信し得る。ＵＥは、周波数オフセットパラメータに少なくとも部分的に基づいて周波数帯域内のＴＲＳ送信を検出し、検出されたＴＲＳ送信に少なくとも部分的に基づいてリソース追跡を実行し得る。
【００５４】
[0062]本開示の態様について、初めにワイヤレス通信システムのコンテキストで説明する。ワイヤレス通信システムは、ＴＲＳバーストの送信から生じたオーバーヘッドをも減少しながら、ＵＥが基地局との時間および周波数同期を維持する能力を向上させるようにＴＲＳを構成し得る。本開示の態様を、新無線における追跡基準信号の構成態様に関する装置図、システム図、およびフローチャートによって示し、それらを参照しながら説明する。
【００５５】
[0063]図１に、本開示の様々な態様によるワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、または新無線（ＮＲ）ネットワークであり得る。場合によっては、ワイヤレス通信システム１００は、拡張ブロードバンド通信、超高信頼（たとえば、ミッションクリティカル）通信、低レイテンシ通信、または低コストおよび低複雑度デバイスを用いた通信をサポートし得る。
【００５６】
[0064]基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（たとえば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００５７】
[0065]各基地局１０５は、様々なＵＥ１１５との通信がサポートされ得る特定の地理的カバレージエリア１１０に関連付けられ得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方アップリンク送信は逆方向リンク送信と呼ばれることもある。
【００５８】
[0066]基地局１０５のための地理的カバレージエリア１１０は、地理的カバレージエリア１１０の一部分のみを構成するセクタに分割され得、各セクタは、セルに関連付けられ得る。たとえば、各基地局１０５は、マクロセル、スモールセル、ホットスポット、もしくは他のタイプのセル、またはそれらの様々な組合せに通信カバレージを与え得る。いくつかの例では、基地局１０５は、移動可能であり、したがって、移動する地理的カバレージエリア１１０に通信カバレージを与え得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、異なるタイプの基地局１０５が様々な地理的カバレージエリア１１０にカバレージを与える、たとえば、異種ＬＴＥ／ＬＴＥ−ＡまたはＮＲネットワークを含み得る。
【００５９】
[0067]「セル」という用語は、（たとえば、キャリアを介した）基地局１０５との通信のために使用される論理通信エンティティを指し、同じまたは異なるキャリアを介して動作する隣接セルを区別するための識別子（たとえば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを与え得る異なるプロトコルタイプ（たとえば、マシン型通信（ＭＴＣ）、狭帯域モノのインターネット（ＮＢ−ＩｏＴ）、拡張モバイルブロードバンド（ｅＭＢＢ）など）に従って構成され得る。場合によっては、「セル」という用語は、論理エンティティが動作する地理的カバレージエリア１１０の一部分（たとえば、セクタ）を指すことがある。
【００６０】
[0068]ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラー電話、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、器具、ビークル、メーターなどの様々な物品中に実装され得るワイヤレスローカルループ（ＷＬＬ）局、モノのインターネット（ＩｏＴ）デバイス、すべてのインターネット（ＩｏＥ）デバイス、またはＭＴＣデバイスなどを指すことがある。
【００６１】
[0069]ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介した）マシン間の自動通信を与え得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのＵＥ１１５は、情報を集めるか、またはマシンの自動化された挙動を可能にするように設計され得る。ＭＴＣデバイスのための適用例の例は、スマートメータリング、インベントリモニタリング、水位モニタリング、機器モニタリング、ヘルスケアモニタリング、野生生物モニタリング、天候および地質学的事象モニタリング、フリート管理およびトラッキング、リモートセキュリティ検知、物理的アクセス制御、ならびにトランザクションベースのビジネスの課金を含む。
【００６２】
[0070]いくつかのＵＥ１１５は、半二重通信などの電力消費量を低減する動作モード（たとえば、送信と受信とを同時にではなく送信または受信を介した一方向通信をサポートするモード）を採用するように構成され得る。いくつかの例では、半二重通信は、低減されたピークレートで実行され得る。ＵＥ１１５のための他の電力節約技法は、アクティブ通信に従事していないときに電力節約する「ディープスリープ」モードに入ること、または（たとえば、狭帯域通信に従って）限定された帯域幅を介して動作することを含む。場合によっては、ＵＥ１１５は、重要な機能（たとえば、ミッションクリティカルな機能）をサポートするように設計され得、ワイヤレス通信システム１００は、これらの機能に超高信頼通信を与えるように構成され得る。
【００６３】
[0071]場合によっては、ＵＥ１１５は、（たとえば、ピアツーピア（Ｐ２Ｐ）またはデバイス間（Ｄ２Ｄ）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５が、Ｄ２Ｄ通信のためのリソースのスケジューリングを促進する。他の場合には、Ｄ２Ｄ通信は、基地局１０５の関与なしにＵＥ１１５との間で行われる。
【００６４】
[0072]基地局１０５は、コアネットワーク１３０とおよび互いに通信し得る。たとえば、基地局１０５は、バックホールリンク１３２を通して（たとえば、Ｓ１または他のインターフェースを介して）コアネットワーク１３０とインターフェースし得る。基地局１０５は、直接（たとえば、基地局１０５間で直接）または間接的に（たとえば、コアネットワーク１３０を介して）バックホールリンク１３４を介して（たとえば、Ｘ２または他のインターフェースを介して）互いに通信し得る。
【００６５】
[0073]コアネットワーク１３０は、ユーザ認証と、アクセス許可と、トラッキングと、インターネットプロトコル（ＩＰ）接続性と、他のアクセス、ルーティング、またはモビリティ機能とを与え得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含む場合がある発展型パケットコア（ＥＰＣ）であり得る。ＭＭＥは、ＥＰＣに関連付けられた基地局１０５によってサービスされるＵＥ１１５のためのモビリティ、認証、およびベアラ管理などの非アクセス層（たとえば、制御プレーン）機能を管理し得る。ユーザＩＰパケットはＳ−ＧＷを介して転送され得、Ｓ−ＧＷ自体はＰ−ＧＷに接続され得る。Ｐ−ＧＷはＩＰアドレス割振りならびに他の機能を与え得る。Ｐ−ＧＷはネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスへのアクセスを含み得る。
【００６６】
[0074]基地局１０５など、ネットワークデバイスのうちの少なくともいくつかは、アクセスノードコントローラ（ＡＮＣ）の一例であり得る、アクセスネットワークエンティティなど、副コンポーネントを含み得る。各アクセスネットワークエンティティは、無線ヘッド、スマート無線ヘッド、または送信／受信ポイント（ＴＲＰ）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００６７】
[0075]ワイヤレス通信システム１００は、一般に、３００ＭＨｚから３００ＧＨｚの範囲の１つまたは複数の周波数帯域を使用して動作し得る。概して、３００ＭＨｚから３ＧＨｚまでの領域は、波長が約１デシメートルから１メートルまでの長さの範囲にあるので、極超短波（ＵＨＦ）領域またはデシメートル帯域として知られている。ＵＨＦ波は、建築物および環境特徴によって阻止またはリダイレクトされ得る。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（たとえば、１００ｋｍ未満）に関連付けられ得る。
【００６８】
[0076]ワイヤレス通信システム１００はまた、センチメートル帯域としても知られる３ＧＨｚから３０ＧＨｚまでの周波数帯域を使用して超高周波（ＳＨＦ）領域で動作し得る。ＳＨＦ領域は、他のユーザからの干渉を許容することができるデバイスによって機会主義的に使用され得る５ＧＨｚの産業科学医療用（ＩＳＭ）帯域などの帯域を含む。
【００６９】
[0077]ワイヤレス通信システム１００はまた、ミリメートル帯域としても知られる（たとえば、３０ＧＨｚから３００ＧＨｚまでの）スペクトルの極高周波（ＥＨＦ）領域で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。場合によっては、これは、ＵＥ１１５内でのアンテナアレイの使用を容易にし得る。しかしながら、ＥＨＦ送信の伝搬は、ＳＨＦまたはＵＨＦ送信よりも一層大きい大気減衰を受け、距離が短くなり得る。本明細書で開示する技法は、１つまたは複数の異なる周波数領域を使用する送信にわたって採用され得、これらの周波数領域にわたる帯域の指定された使用は、国または規制主体によって異なり得る。
【００７０】
[0078]いくつかの場合には、ワイヤレス通信システム１００は、認可無線周波数スペクトル帯域と無認可無線周波数スペクトル帯域の両方を利用し得る。たとえば、ワイヤレス通信システム１００は、５ＧＨｚのＩＳＭ帯域などの無認可帯域中でライセンス支援型アクセス（ＬＡＡ）、ＬＴＥ−無認可（ＬＴＥ−Ｕ）無線アクセス技術またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ）プロシージャを採用し得る。場合によっては、無認可帯域中の動作は、認可帯域（たとえば、ＬＡＡ）中で動作するコンポーネントキャリア（ＣＣ）とともに、キャリアアグリゲーション（ＣＡ）構成に基づき得る。無認可スペクトルにおける動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方のタイプの複信の組合せに基づき得る。
【００７１】
[0079]いくつかの例では、基地局１０５またはＵＥ１１５は、複数のアンテナを装備し得、複数のアンテナは、送信ダイバーシティ、受信ダイバーシティ、多入力多出力（ＭＩＭＯ）通信、またはビームフォーミングなどの技法を採用するために使用され得る。たとえば、ワイヤレス通信システム１００は、送信デバイス（たとえば、基地局１０５）と受信デバイス（たとえば、ＵＥ１１５）との間で送信方式を使用し得、ここで、送信デバイスは、複数のアンテナを装備し、受信デバイスは、１つまたは複数のアンテナを装備する。ＭＩＭＯ通信は、空間多重化と呼ばれることがある異なる空間レイヤを介して複数の信号を送信または受信することによってスペクトル効率を増加させるためにマルチパス信号伝搬を採用し得る。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（たとえば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００７２】
[0080]空間フィルタ処理、指向性送信、または指向性受信と呼ばれることもあるビームフォーミングは、送信デバイスと受信デバイスとの間の空間経路に沿ってアンテナビーム（たとえば、送信ビームまたは受信ビーム）を成形または誘導するために送信デバイスまたは受信デバイス（たとえば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、デバイスに関連付けられたアンテナ要素の各々を介して搬送される信号にある振幅および位相オフセットを適用する送信デバイスまたは受信デバイスを含み得る。アンテナ要素の各々に関連付けられた調整は、（たとえば、送信デバイスもしくは受信デバイスのアンテナアレイに対して、またはいくつかの他の向きに対して）特定の向きに関連付けられたビームフォーミング重みセットによって定義され得る。
【００７３】
[0081]一例では、基地局１０５は、ＵＥ１１５との指向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、異なる方向に複数回基地局１０５によって送信され得、送信の異なる方向に関連付けられた異なるビームフォーミング重みセットに従って送信されている信号を含み得る。異なるビーム方向への送信は、基地局１０５によって後続の送信および／または受信のためのビーム方向を識別するために（たとえば、基地局１０５またはＵＥ１１５などの受信デバイスによって）使用され得る。特定の受信デバイスに関連付けられたデータ信号などのいくつかの信号は、単一のビーム方向（たとえば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。たとえば、ＵＥ１１５は、異なる方向に基地局１０５によって送信された信号のうちの１つまたは複数を受信し得、ＵＥ１１５は、それが最高の信号品質または別様の許容できる信号品質で受信した信号のインジケーションを基地局１０５に報告し得る。これらの技法について、基地局１０５によって１つまたは複数の方向に送信される信号に関して説明するが、ＵＥ１１５は、（たとえば、ＵＥ１１５による後続の送信または受信のためのビーム方向を識別するために）異なる方向に複数回信号を送信すること、または（たとえば、受信デバイスにデータを送信するために）単一の方向に信号を送信することを行うために同様の技法を採用し得る。
【００７４】
[0082]受信デバイス（たとえば、ｍｍＷの受信デバイスの一例であり得るＵＥ１１５）は、同期信号、基準信号、ビーム選択信号、または他の制御信号などの基地局１０５からの様々な信号を受信するときに複数の受信ビームを試み得る。たとえば、受信デバイスは、異なるアンテナサブアレイを介して受信することによって、異なるアンテナサブアレイに従って受信信号を処理することによって、アンテナアレイの複数のアンテナ要素において受信された信号に適用される異なる受信ビームフォーミング重みセットに従って受信することによって、またはアンテナアレイの複数のアンテナ要素において受信された信号に適用される異なる受信ビームフォーミング重みセットに従って受信信号を処理することによって複数の受信方向を試み得、それらのいずれも、異なる受信ビームまたは受信方向に従って「リッスンすること」と呼ばれることがある。いくつかの例では、受信デバイスは、（たとえば、データ信号を受信するときに）単一のビーム方向に沿って受信するために単一の受信ビームを使用し得る。単一の受信ビームは、異なる受信ビーム方向（たとえば、複数のビーム方向に従ってリッスンすることに少なくとも部分的に基づいて最も高い信号強度、最も高い信号対雑音比、またはさもなければ許容できる信号品質を有すると決定されたビーム方向）に従ってリッスンすることに少なくとも部分的に基づいて決定されたビーム方向に整列され得る。
【００７５】
[0083]場合によっては、基地局１０５またはＵＥ１１５のアンテナは、ＭＩＭＯ動作または送信もしくは受信ビームフォーミングをサポートし得る１つまたは複数のアンテナアレイ内に位置し得る。たとえば、１つまたは複数の基地局アンテナまたはアンテナアレイは、アンテナ塔などのアンテナアセンブリにコロケートされ得る。場合によっては、基地局１０５に関連付けられたアンテナまたはアンテナアレイは、多様な地理的位置に配置され得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００７６】
[0084]場合によっては、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、場合によっては、論理チャネル上で通信するために、パケットのセグメンテーションおよびリアセンブリを実行し得る。媒体アクセス制御（ＭＡＣ）レイヤは、優先度処理、およびトランスポートチャネルへの論理チャネルの多重化を実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００７７】
[0085]場合によっては、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、劣悪な信号対雑音状態）でのＭＡＣレイヤにおけるスループットを改善し得る。場合によっては、ワイヤレスデバイスは、デバイスがスロット中の前のシンボル中で受信されたデータについて特定のスロット中でＨＡＲＱフィードバックを与え得る同スロットＨＡＲＱフィードバックをサポートし得る。他の場合には、デバイスは、後続のスロット中でまたは何らかの他の時間間隔に従ってＨＡＲＱフィードバックを与え得る。
【００７８】
[0086]ＬＴＥまたはＮＲにおける時間間隔は、たとえば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３までにわたるシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含み得る。サイクリックプレフィックスを除いて、各シンボル期間は、２０４８個のサンプリング周期を含み得る。場合によっては、サブフレームは、ワイヤレス通信システム１００の最も小さいスケジューリングユニットであり得、送信時間間隔（ＴＴＩ）と呼ばれることがある。他の場合には、ワイヤレス通信システム１００の最も小さいスケジューリングユニットは、サブフレームよりも短くなり得るか、または（たとえば、短縮ＴＴＩ（ｓＴＴＩ）のバースト中でまたはｓＴＴＩを使用する選択されたコンポーネントキャリア中で）動的に選択され得る。
【００７９】
[0087]いくつかのワイヤレス通信システムでは、スロットは、１つまたは複数のシンボルを含んでいる複数のミニスロットにさらに分割され得る。場合によっては、ミニスロットのシンボルまたはミニスロットは、スケジューリングの最も小さい単位であり得る。たとえば、各シンボルは、サブキャリア間隔または動作の周波数帯域に応じて持続時間中で変化し得る。さらに、いくつかのワイヤレス通信システムは、複数のスロットまたはミニスロットが互いにアグリゲートされ、ＵＥ１１５と基地局１０５との間の通信のために使用されるスロットアグリゲーションを実装し得る。
【００８０】
[0088]「キャリア」という用語は、通信リンク１２５を介した通信をサポートするための定義された物理レイヤ構造を有する無線周波数スペクトルリソースのセットを指す。たとえば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられ得、ＵＥ１１５による発見のためのチャネルラスタに従って配置され得る。キャリアは、（たとえば、ＦＤＤモードで）ダウンリンクまたはアップリンクであり得るか、または（たとえば、ＴＤＤモードで）ダウンリンクおよびアップリンク通信を搬送するように構成され得る。いくつかの例では、キャリアを介して送信される信号波形は、（たとえば、ＯＦＤＭまたはＤＦＴ−ｓ−ＯＦＤＭなどのマルチキャリア変調（ＭＣＭ）技法を使用して）複数のサブキャリアから構成され得る。
【００８１】
[0089]キャリアの組織構造は、無線アクセス技術（たとえば、ＬＴＥ、ＬＴＥ−Ａ、ＮＲなど）ごとに異なり得る。たとえば、キャリアを介した通信は、ＴＴＩまたはスロットに従って編成され得、その各々は、ユーザデータならびにユーザデータを復号するのをサポートするための制御情報またはシグナリングを含み得る。キャリアはまた、キャリアのための動作を協調させる専用の収集シグナリング（たとえば、同期信号またはシステム情報など）と制御シグナリングとを含み得る。いくつかの例では（たとえば、キャリアアグリゲーション構成では）、キャリアはまた、他のキャリアのための動作を協調させる収集シグナリングまたは制御シグナリングを有し得る。
【００８２】
[0090]物理チャネルは、様々な技法に従ってキャリア上で多重化され得る。物理制御チャネルと物理データチャネルとは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（たとえば、共通制御領域または共通探索空間と１つまたは複数のＵＥ固有制御領域またはＵＥ固有探索空間との間で）配信され得る。
【００８３】
[0091]キャリアは、無線周波数スペクトルの特定の帯域幅に関連付けられ得、いくつかの例では、キャリア帯域幅は、キャリアまたはワイヤレス通信システム１００の「システム帯域幅」と呼ばれることがある。たとえば、キャリア帯域幅は、特定の無線アクセス技術のキャリアのための所定のいくつかの帯域幅のうちの１つ（たとえば、１．４、３、５、１０、１５、２０、４０、または８０ＭＨｚ）であり得る。いくつかの例では、各被サービスＵＥ１１５は、キャリア帯域幅の部分またはすべてを介して動作するように構成され得る。他の例では、いくつかのＵＥ１１５は、キャリア内のあらかじめ定義された部分または範囲（たとえば、サブキャリアまたはＲＢのセット）に関連付けられる狭帯域プロトコルタイプを使用した動作（たとえば、狭帯域プロトコルタイプの「帯域内」展開）のために構成され得る。
【００８４】
[0092]ＭＣＭ技法を採用するシステムでは、リソース要素は、１つのシンボル期間（たとえば、１つの変調シンボルの持続時間）と１つのサブキャリアとからなり得、ここで、シンボル期間とサブキャリア間隔とは、逆関係にある。各リソース要素によって搬送されるビット数は、変調方式（たとえば、変調方式の程度）に依存し得る。したがって、ＵＥ１１５が受信するリソース要素が多いほど、また変調方式の程度が高いほど、ＵＥ１１５のデータレートは高くなり得る。ＭＩＭＯシステムでは、ワイヤレス通信リソースは、無線周波数スペクトルリソース、時間リソース、および空間リソース（たとえば、空間レイヤ）の組合せを指すことがあり、複数の空間レイヤの使用は、ＵＥ１１５との通信のためのデータレートをさらに増加させ得る。
【００８５】
[0093]ワイヤレス通信システム１００のデバイス（たとえば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連付けられたキャリアを介した同時通信をサポートすることができる基地局１０５および／またはＵＥを含み得る。
【００８６】
[0094]ワイヤレス通信システム１００は、複数のセルまたはキャリア上でのＵＥ１１５との通信、すなわち、キャリアアグリゲーションまたはマルチキャリア動作と呼ばれることがある特徴をサポートし得る。ＵＥ１１５は、キャリアアグリゲーション構成に従って複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００８７】
[0095]場合によっては、ワイヤレス通信システム１００は、拡張コンポーネントキャリア（ｅＣＣ）を利用し得る。ｅＣＣは、より広いキャリアもしくは周波数チャネル帯域幅、より短いシンボル持続時間、より短いＴＴＩ持続時間、または変更された制御チャネル構成を含む１つまたは複数の特徴によって特徴付けられ得る。場合によっては、ｅＣＣは、（たとえば、複数のサービングセルが準最適または非理想バックホールリンクを有するときに）キャリアアグリゲーション構成またはデュアル接続性構成に関連付けられ得る。ｅＣＣはまた、（たとえば、２つ以上の事業者がスペクトルを使用することを許可された場合）無認可スペクトルまたは共有スペクトル中で使用するように構成され得る。広いキャリア帯域幅によって特徴付けられるｅＣＣは、キャリア帯域幅全体をモニタすることが可能でないか、場合によっては（たとえば、電力を節約するために）限られたキャリア帯域幅を使用するように構成されたＵＥ１１５によって利用され得る１つまたは複数のセグメントを含み得る。
【００８８】
[0096]場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、短縮されたシンボル持続時間（たとえば、１６．６７マイクロ秒）で（たとえば、２０、４０、６０、８０ＭＨｚなどの周波数チャネルまたはキャリア帯域幅に従って）広帯域信号を送信し得る。ｅＣＣ中のＴＴＩは、１つまたは複数のシンボル期間からなり得る。場合によっては、ＴＴＩ持続時間（すなわち、ＴＴＩ中のシンボル期間の数は可変であり得る。
【００８９】
[0097]ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性により、複数のスペクトルにわたるｅＣＣの使用が可能になり得る。いくつかの例では、ＮＲ共有スペクトルは、具体的にはリソースの動的垂直（たとえば、周波数にわたる）共有および水平（たとえば、時間にわたる）共有によって、スペクトル利用度およびスペクトル効率を向上させる。
【００９０】
[0098]ワイヤレス通信システム１００は、ＴＲＳバーストの送信から生じたオーバーヘッドをも減少しながら、ＵＥ１１５が基地局との時間および周波数同期を維持することを可能にするようにＴＲＳを構成し得る。基地局１０５は、どのスロットがＴＲＳバーストを含むのかとＴＲＳトーンを含むＴＲＳ周波数帯域（たとえば、１つまたは複数のリソースブロック）のリソース要素のセットとを示すためにＴＲＳバーストパターン構成を指定し得る。たとえば、基地局１０５は、第１のバースト持続時間と第２のバースト持続時間とを含むＴＲＳバーストのためのバースト持続時間のセットを選択し得、ここで、第１のバースト持続時間は、第２のバースト持続時間とは異なる。基地局１０５は、ＵＥ１１５にバースト持続時間のセットを示す構成情報を送信し得る。基地局１０５は、第１のバースト持続時間を有する第１のＴＲＳバーストと第２のバースト持続時間を有する第２のＴＲＳバーストとを送信し得る。ＵＥ１１５は、構成情報に少なくとも部分的に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに少なくとも部分的に基づいてリソース追跡を実行することとを行い得る。リソース追跡は、時間同期を維持するための時間追跡、周波数同期を維持するための周波数追跡などであり得る。
【００９１】
[0099]いくつかの例では、基地局１０５は、ＴＲＳ送信のための周波数オフセットパラメータを選択し得る。周波数オフセットパラメータは、基準周波数に対するオフセットを示し得、リソース要素の数、周波数帯域、周波数帯域幅部分などで表され得る。場合によっては、オフセットは、特定の送信時間間隔内の（たとえば、スロット内の）シンボルインデックスのセットについて示され得、周波数オフセットパラメータは、シンボルインデックスのセット中のシンボルインデックスごとにオフセット値を指定し得る。基地局１０５は、ＵＥ１１５に周波数オフセットパラメータを示す構成情報を送信し得、ＵＥ１１５は、構成情報を受信し得る。基地局１０５は、周波数オフセットパラメータに対応する周波数オフセットを有するＴＲＳ送信を送信し得る。ＵＥ１１５は、周波数オフセットパラメータに少なくとも部分的に基づいて周波数帯域内のＴＲＳ送信を検出し、検出されたＴＲＳ送信に少なくとも部分的に基づいてリソース追跡を実行し得る。
【００９２】
[0100]図２に、本開示の様々な態様による、新無線における追跡基準信号の構成態様をサポートするワイヤレス通信システム２００の一例を示す。いくつかの例では、システム２００は、システム１００の態様を実装し得る。システム２００のいくつかの例はｍｍＷワイヤレス通信システムであり得る。システム２００は、図１を参照しながら説明される対応するデバイスの例であり得る基地局２０５とＵＥ２１５とを含み得る。システム２００はまた、５Ｇ新無線無線アクセス技術（ＲＡＴ）などのＲＡＴに従って動作し得る。
【００９３】
[0101]一例では、基地局２０５は、ＵＥ２１５において時間および／または周波数追跡をサポートするためにＴＲＳバーストパターン構成を選択し得る。ＴＲＳバーストパターン構成は、ＴＲＳバーストのパターンと１つまたは複数のリソースブロック中のどのリソース要素がＴＲＳトーンを含むのかとを示すＴＲＳ構成パラメータのセットを含み得る。ＴＲＳトーンは、知られている特性（たとえば、知られている振幅および位相）を有するサブキャリア上での、およびシンボル期間内での送信であり得、ＵＥ２１５は、周波数および／または時間追跡のために知られている特性を使用し得る。ＴＲＳバーストは、１つまたは複数の送信時間間隔（ＴＴＩ）（たとえば、いくつかのシンボル期間、スロット、サブフレーム、フレームなど）中でのＴＲＳトーンのセットの送信であり得る。たとえば、ＴＲＳバーストは、リソース要素のセットを含むリソースブロック中で通信され得、ここで、各リソース要素は、サブキャリアとシンボル期間とに対応する。ＴＲＳバーストは、リソースブロックのリソース要素のセットのサブセット中での１つまたは複数のＴＲＳトーンのセットの送信であり得る。構成情報は、どのリソースブロックおよびスロット中でＴＲＳバーストが送信されるのかと、リソースブロックのどのリソース要素がＴＲＳトーンを含むのかとを示すことによってＴＲＳバーストパターンを指定し得る。
【００９４】
[0102]ＴＲＳバーストパターンを示すために、基地局２０５は、１つまたは複数のＴＲＳ構成パラメータの値を選択し得、１つまたは複数のＴＲＳ構成パラメータの各々の選択された値を示すために構成情報を生成し得る。基地局２０５は、ＵＥ２１５に構成情報を送信し、構成情報に示されているパターンで１つまたは複数のＴＲＳバーストを送信し得る。ＵＥ２１５は、構成情報を受信し、処理し、構成情報に従ってＴＲＳバーストのパターンについてモニタし得る。
【００９５】
[0103]いくつかの例では、構成情報は、ＴＲＳバーストパターンの態様を示す１つまたは複数のＴＲＳパラメータを含み得る。以下でさらに説明されるように、ＴＲＳバーストパターンは、スロットのセットに対応し得、ＴＲＳバーストは、スロットのうちの選択されたスロット中で（たとえば、選択されたスロット内で）送信され得る。他のスロットは、基地局２０５と１つまたは複数のＵＥ２１５との間で制御および／またはデータ情報を通信するために使用され得る。制御および／またはデータ情報はまた、ＴＲＳトーンによって占有されていないリソース要素を使用してＴＲＳバーストと同じスロット内で送信され得る。いくつかの例では、ＴＲＳパラメータは、ＴＲＳパターン中の単一のバーストに固有であるか、またはＴＲＳパターンで複数のバーストに適用され得る。
【００９６】
[0104]一例では、ＴＲＳバースト持続時間パラメータＸは、ＴＲＳバーストの持続時間を示し得る。持続時間Ｘは、いくつかのＴＴＩ（たとえば、いくつかのシンボル期間、スロット、サブフレーム、フレームなど）であり得る。ＴＲＳバースト周期性パラメータＹは、いくつかのＴＴＩでＴＲＳバーストパターンの持続時間を示し得る。構成情報によって示されたＴＲＳバーストパターンは、Ｙ個のＴＴＩごとに繰り返し得る。
【００９７】
[0105]ＴＲＳパラメータのうちのいくつかはまた、１つまたは複数のＴＲＳバースト中のＴＲＳトーンの態様を指定し得る。ＴＲＳサブキャリア間隔パラメータＳfは、ＴＲＳバーストの特定のシンボル期間中の各サブキャリアの間（たとえば、各トーンの間）に何個のリソース要素があるのかを示し得る。ＴＲＳシンボル間隔パラメータＳtは、ＴＴＩ内の（たとえば、スロット内の）ＴＲＳシンボル間の間隔を示し得る。ＴＲＳ数パラメータＮは、ＴＴＩ内の（たとえば、スロット内の）ＴＲＳバーストごとのシンボル（たとえば、ＯＦＤＭシンボル）の数を示し得る。ＴＲＳ帯域幅パラメータＢは、ＴＲＳバーストのいくつかのリソースブロック（ＲＢ）で帯域幅を示し得る。ＴＲＳバーストは、したがって、構成情報によって示される１つまたは複数のリソースブロックの選択されたリソース要素中の１つまたは複数のＴＲＳトーンのセットの送信であり得る。
【００９８】
[0106]いくつかの例では、上記で説明したＴＲＳパラメータは、任意のＴＲＳバーストまたは一連のＴＲＳバーストのために独立して構成され得る。たとえば、ＴＲＳパラメータは、任意の他のＴＲＳパラメータの値および存在にもかかわらず構成されるかまたは変更され得る。場合によっては、ＴＲＳパラメータのうちのいくつかは、一緒に構成され得る。いくつかの例では、ＴＲＳパラメータのうちのいくつかのみが使用され、一方、他の例では、他のＴＲＳパラメータが使用される。
【００９９】
[0107]図３に、本開示の様々な態様による、新無線における追跡基準信号の構成態様をサポートするＴＲＳバーストパターン構成３００の一例を示す。いくつかの例では、ＴＲＳバーストパターン構成３００は、ワイヤレス通信システム１００および２００の態様を実装し得る。
【０１００】
[0108]図３に、スロット３３０として示すＴＴＩのセットと、単一スロットの持続時間３３５を有する単一のＴＲＳバーストを有するＴＲＳバーストパターンとＴＲＳバーストパターンの周期性３４０とを示す。この例では、構成情報は、ＴＲＳ持続時間パラメータＸが１つのスロットである（たとえば、Ｘ＝１である）ことを示し得、周期性パラメータＹは、５つのスロットである（たとえば、Ｙ＝５である）。図示のように、単一スロットの持続時間を有するＴＲＳバーストは、スロット０、５、１０中で送信され、このパターンは、基地局２０５などの基地局が構成情報を変更するまで５つのスロットごとに繰り返し得る。基地局２０５は、基地局２０５が５つのスロットごとに１回１つのスロットの持続時間を有するＴＲＳバーストを送信し得ることを示す構成情報をＵＥ２１５などのＵＥに送信し得る。いくつかの例では、構成情報は、持続時間Ｘを示すビットの第１のセットと周期性パラメータＹを示すビットの第２のセットとを有するビットシーケンスであり得る。構成情報は、ＴＲＳサブキャリア間隔パラメータＳf、ＴＲＳシンボル間隔パラメータＳt、ＴＲＳ数パラメータＮ、ＴＲＳ帯域幅パラメータＢなど、またはそれらの任意の組合せのうちの１つまたは複数を示し得る。ＵＥ２１５は、構成情報を受信し、処理し、構成情報に従ってＴＲＳバーストについてモニタし得る。他のＴＲＳ構成も使用され得る。
【０１０１】
[0109]図４に、本開示の様々な態様による、新無線における追跡基準信号の構成態様をサポートするＴＲＳバーストパターン構成４００の一例を示す。いくつかの例では、ＴＲＳバーストパターン構成４００は、ワイヤレス通信システム１００および２００の態様を実装し得る。
【０１０２】
[0110]図４に、スロット３３０−ａとして示すＴＴＩのセットと、単一スロットの持続時間３３５−ａをもつＴＲＳバーストを有するＴＲＳバーストパターンと周期性３４０−ａとを示す。この例では、構成情報は、ＴＲＳ持続時間パラメータＸが２つのスロットである（たとえば、Ｘ＝２である）ことを示し得、ＴＲＳバースト周期性パラメータＹは、１０個のスロットである（たとえば、Ｙ＝１０である）。図示のように、２つのスロットの持続時間を有するＴＲＳバーストは、スロット０〜１、１０〜１１中で送信され、このＴＲＳバーストパターンは、基地局２０５が構成情報を変更するまで１０個のスロットごとに繰り返し得る。基地局２０５は、基地局２０５が１０個のスロットごとに１回２つのスロットの持続時間を有するＴＲＳバーストを送信し得ることを示す構成情報をＵＥ２１５に送信し得る。構成情報は、持続時間Ｘを示すビットの第１のセットと周期性パラメータＹを示すビットの第２のセットとを有するビットシーケンスであり得る。構成情報はまた、ＴＲＳサブキャリア間隔パラメータＳf、ＴＲＳシンボル間隔パラメータＳt、ＴＲＳ数パラメータＮ、ＴＲＳ帯域幅パラメータＢなど、またはそれらの任意の組合せのうちの１つまたは複数を示し得る。ＵＥ２１５は、構成情報を受信し、処理し、構成情報に従ってＴＲＳバーストについてモニタし得る。他のＴＲＳ構成も使用され得る。
【０１０３】
[0111]いくつかの例では、異なるＴＲＳバーストパターン構成が、異なる使用事例のためにより良いパフォーマンスを与え得る。図３の例におけるＴＲＳバーストパターン、ここで、｛Ｘ＝１、Ｙ＝５｝である、は、時間同期を維持する際に使用するための遅延、電力遅延プロフィル（ＰＤＰ）推定などを決定することなど、時間追跡に好適であり得る。図４の例におけるＴＲＳバーストパターン、ここで、｛Ｘ＝２、Ｙ＝１０｝である、は、周波数同期を維持するためのドップラー推定などの周波数追跡に好適であり得る。時間または周波数追跡のための特定のＴＲＳバーストパターン構成のための適合性は、追跡に適用される測定技法の機能であり得る。いくつかのタイプの測定では、相関技法が、周波数領域中の受信信号のサンプルに適用され得、したがって、図３中のＴＲＳバーストパターン構成は時間追跡により好適であり得る。他の相関技法が、時間領域中の受信信号のサンプルに適用され得、したがって、図４中のＴＲＳバーストパターン構成は周波数追跡により好適であり得る。
【０１０４】
[0112]時間追跡と周波数追跡との両方をサポートするための１つの解決策は、ＴＲＳパラメータＸのためにより大きい値を選択し、ＴＲＳパラメータＹのためにより小さい値を選択することであり得る。しかしながら、ＴＲＳオーバーヘッドは、そのような解決策では相応して増加する。たとえば、ＴＲＳバーストパターン構成、ここで、｛Ｘ＝２、Ｙ＝５｝である、が使用され得るが、オーバーヘッドは、場合によっては、容認できないほど高くなり得る。
【０１０５】
[0113]本明細書で説明される技法によれば、構成情報は、ＴＲＳバーストパターンを示し得、ここで、ＴＲＳバーストパターン中の各ＴＲＳバーストまでは、妥当なＴＲＳオーバーヘッドをも維持しながら、時間追跡と周波数追跡との両方をサポートするために異なる持続時間を有する。図５に、本開示の様々な態様による、新無線における追跡基準信号の構成態様をサポートするＴＲＳバーストパターン構成５００の一例を示す。いくつかの例では、ＴＲＳバーストパターン構成５００は、ワイヤレス通信システム１００および２００の態様を実装し得る。
【０１０６】
[0114]図５に、スロット５３０として示すＴＴＩのセットと、それぞれ異なる持続時間を有するＴＲＳバースト５３５−ａ、５３５−ｂを含むＴＲＳバーストパターン構成５００とを示す。この例では、構成情報は、ＴＲＳバーストパターン中の異なるＴＲＳバーストのための異なるパラメータの組合せを含み得る。ＴＲＳバーストパターン中のすべてのＴＲＳバーストのための持続時間Ｘの単一の値を示す構成情報の代わりに、構成情報は、ＴＲＳバーストのセット中の各ＴＲＳバーストまでのための持続時間Ｘの異なる値を指定し得る。図示された例では、構成情報は、第１のＴＲＳバーストが１つのスロット（たとえば、１つのＴＴＩ）の持続時間５３５−ａを有することと、第２のＴＲＳバーストが、２つのスロットの持続時間５３５−ｂを有することとを指定し得る。他の例では、構成情報は、ＴＲＳバーストパターン中のＴＲＳバーストごとに任意の所望の持続時間を指定し得る。
【０１０７】
[0115]図示のように、１つのスロットの持続時間を有するＴＲＳバーストは、スロット０中で送信され、２つのスロットの持続時間を有するＴＲＳバーストは、スロット５〜６中で送信される。このＴＲＳバーストパターンは、基地局２０５が構成情報を変更するまで、１０個のスロットごとに繰り返し得る。基地局２０５は、基地局２０５が１０個のスロットごとに１回２つのスロットの持続時間を有するＴＲＳバーストを送信し得ることを示す構成情報をＵＥ２１５に送信し得る。構成情報は、第１のＴＲＳバーストのための持続時間Ｘ＝１を示すビットの第１のセットと、第２のＴＲＳバーストのための持続時間Ｘ＝２を示すビットの第２のセットとを有するビットシーケンスであり得る。したがって、ＴＲＳバーストの持続時間は、ＴＲＳバーストパターン中のＴＲＳバーストごとに異なり得、ＴＲＳバーストの送信は、ＴＲＳバーストパターンの周期性に対応する時間間隔のセット中で異なる持続時間で交互し得る。図示され、説明されるこの例は、任意の数のＴＲＳバーストを含むＴＲＳバーストのセットを有するＴＲＳバーストパターンに適用され得、構成情報は、ＴＲＳバーストのセット中の各ＴＲＳバーストまでのための持続時間Ｘの異なる値を示し得る。場合によっては、セット中の複数のＴＲＳバーストが、同じ持続時間を有し得、または各ＴＲＳバーストが、異なる持続時間を有し得る。
【０１０８】
[0116]いくつかの例では、構成情報は、ＴＲＳバーストパターン内のＴＲＳバーストごとに変化するＴＲＳパラメータを示し得、ＴＲＳバーストパターン中の各ＴＲＳバーストまでに一意であり得る。たとえば、ＴＲＳバーストパターン中の第１のＴＲＳバーストの場合、構成情報は、第１のＴＲＳサブキャリア間隔パラメータＳf、第１のＴＲＳシンボル間隔パラメータＳt、第１のＴＲＳ数パラメータＮ、第１のＴＲＳ帯域幅パラメータＢなど、またはそれらの任意の組合せを示し得る。ＴＲＳバーストパターン中の第２のＴＲＳバーストの場合、構成情報は、第２のＴＲＳサブキャリア間隔パラメータＳf、第２のＴＲＳシンボル間隔パラメータＳt、第２のＴＲＳ数パラメータＮ、第２のＴＲＳ帯域幅パラメータＢなど、またはそれらの任意の組合せを示し得る。場合によっては、ＴＲＳバーストパターン中の複数のＴＲＳバーストは、ＴＲＳパラメータのうちの１つまたは複数に同じ値を有し得る。
【０１０９】
[0117]いくつかの例では、複数の異なるＴＲＳリソースは、基地局とＵＥとのペアごとに（たとえば、送信／受信ポイント（ＴＲＰ）とＵＥとのペアごとに）割り振られ得る。図６に、本開示の様々な態様による、新無線における追跡基準信号の構成態様をサポートするＴＲＳバーストパターン構成６００の一例を示す。いくつかの例では、ＴＲＳバーストパターン構成６００は、ワイヤレス通信システム１００および２００の態様を実装し得る。
【０１１０】
[0118]この例では、構成情報は特定のＴＲＳリソースに固有であり得、複数のＴＲＳリソースは、ＵＥ２１５に割り振られ得る。各ＴＲＳリソースは、１つまたは複数のＴＲＳパラメータの値を指定するＴＲＳバーストパターンを定義し得る。ＵＥ２１５は、第１のＴＲＳリソースに対応する第１の構成情報を適用し、第２のＴＲＳリソースに対応する第２の構成情報を適用し、以下同様に行い得る。構成情報の一部または全部のインスタンスは、オフセットを指定する追加の構成パラメータＺを含み得る。ＵＥ２１５は、それぞれのＴＲＳリソースについてどのＴＴＩをモニタすべきかと、１つまたは複数のＴＴＩ内で予想すべきＴＲＳバーストパターンの構成とを決定するためのオフセットを処理し得る。
【０１１１】
[0119]図６に、スロット６３０として示すＴＴＩのセットと、異なるＴＲＳリソースに対応する異なる持続時間６３５−ａ、６３５−ｂを有するＴＲＳバーストとを示す。第１のＴＲＳリソース１のためのＴＲＳバーストが第１のタイプの陰影を使用して示され、第２のＴＲＳリソース２のためのＴＲＳバーストが第２のタイプの陰影を使用して示される。図示された例では、ＴＲＳリソース１のための第１の構成情報は、ＴＲＳバーストが、１つのスロットの持続時間６３５−ａ（たとえば、Ｘ＝１）、１０個のスロットの周期性（たとえば、Ｙ＝１０）、および０のオフセット（たとえば、Ｚ＝０）を有することを指定し得る。ＴＲＳリソース２のための第２の構成情報は、ＴＲＳバーストが、２つのスロットの持続時間６３５−ａ（たとえば、Ｘ＝２）、１０個のスロットの周期性（たとえば、Ｙ＝１０）、および５つのスロットのオフセット（たとえば、Ｚ＝５）を有することを指定し得る。この例では、ＴＲＳリソース１のためのＴＲＳバーストは、スロット０において行われ、スロット１０および基地局２０５が第１の構成情報を変更するまでその後１０個のスロットごとに繰り返す。ＴＲＳリソース２のためのＴＲＳバーストは、スロット５〜６において行われ、スロット１５〜１６および基地局２０５が第２の構成情報を変更するまでその後１０個のスロットごとに繰り返す。本明細書で説明される技法が、３つ以上のＴＲＳリソースに拡張され得ることに注意されたい。
【０１１２】
[0120]場合によっては、複数のＴＲＳリソースが衝突し得る。衝突は、複数のＴＲＳリソースが少なくとも１つの重複するＴＴＩ中で（たとえば、同じスロット中で）スケジュールされているときのインスタンスを指すことがある。そのような状況では、ＴＲＳリソースの間の優先度が決定され得る。一例では、構成情報は、異なるＴＲＳリソースの間の優先順序を明示的に指定し得、衝突があるとＵＥ２１５が決定するとき、衝突するＴＲＳリソースの優先順序で最高の優先順位を有するＴＲＳリソースの構成情報に対応するＴＲＳバーストについてモニタする。たとえば、最高の優先度を有するＴＲＳリソース１と、次に高い優先順位を有するＴＲＳリソース２と、最低の優先順位を有するＴＲＳリソース３とをもつ３つのＴＲＳリソースがある場合、ＵＥ２１５は、任意の他のＴＲＳリソースとの衝突があるときにＴＲＳリソース１についての構成情報を適用し、ＴＲＳリソース３との衝突があるときにＴＲＳリソース２についての構成情報を適用する。基地局２０５は、複数のＴＲＳバーストが衝突するときにＴＲＳバーストを送信するためにどのＴＲＳリソースの優先順序を使用すべきかを同様に決定し得る。基地局２０５またはＵＥ２１５は、バーストに優先順序を割り当て得る。一例では、より長い持続時間をもつバーストがより高い優先順位を与えられ得る。別の例では、より短い持続時間をもつバーストがより高い優先順位を与えられ得る。他の例は、本明細書で説明した他の特性に基づいてバーストに優先度を割り当てる。
【０１１３】
[0121]他の例では、ＵＥ２１５は、ＴＲＳリソースの間の優先順序を暗黙的に決定するための１つまたは複数のルールを適用し得る。たとえば、優先順序は、ＴＲＳパラメータの値に基づき得る。ＵＥ２１５は、ＴＲＳリソースごとにＴＲＳパラメータの値を決定し、決定された値に基づいて優先順序を決定し得る。たとえば、持続時間Ｘ＝１およびＸ＝２をそれぞれ有するＴＲＳリソースが衝突する場合、Ｘ＝２をもつＴＲＳリソースは、より大きい値を有するＴＲＳパラメータが優先されることを示すルールによりよってより高い優先順位を有すると決定され得る。他の例では、より小さい値を有するＴＲＳパラメータがより高い優先順位を有すると決定され得る。同順位がある場合、異なるＴＲＳパラメータの値が、ＴＲＳリソースの間での相対的な優先順位を決定するために同様に使用され得る。基地局２０５は、ＴＲＳバーストを送信するときに優先順序に基づいてどんなＴＲＳリソースを使用すべきかを決定し得、ＵＥ２１５は、ＴＲＳバーストを受信するときに優先順序に基づいてどんなＴＲＳリソースを予想すべきかを決定し得る。
【０１１４】
[0122]いくつかの例では、単一のＴＲＳリソースが定義され得、構成情報は、ＴＲＳパラメータのために単一の値を定義する代わりに、ＴＲＳバーストパターンでＴＲＳパラメータの値のシーケンスを示し得る。一例では、構成情報は、各ＴＲＳパラメータの値のシーケンスを定義し得、ＴＲＳバーストは、シーケンスに従ってＴＲＳバーストパターンで通信され得る。たとえば、図６に示すＴＲＳバーストパターンは、構成情報中で値のシーケンス持続時間Ｘ＝｛１、２｝、時間間隔Ｙ＝｛５、５｝を示すことによって定義され得る。したがって、最初の５つのタイムスロットでは、ＴＲＳバーストの持続時間は１つのスロットであり、第２の５つのタイムスロット中では、ＴＲＳバーストの持続時間は２つのスロットである。ＴＲＳバーストパターンは、次いで、繰り返し得る。
【０１１５】
[0123]いくつかの例では、構成情報は、任意のタイプのＴＲＳバーストパターンを定義するために任意の所望の持続時間のＴＲＳパラメータの値のシーケンスを示し得る。たとえば、ＴＲＳバーストパターンのためのより複雑なシーケンスが定義され得る（たとえば、Ｘ＝｛１、２、１、１、２｝、Ｙ＝｛５、５、１０、１０、５｝）。ＴＲＳバーストパターンは、基地局２０５が構成情報を変更するまで各ＴＲＳパラメータの値の示されたシーケンスに従って繰り返し得る。いくつかの例では、１つまたは複数のＴＲＳパラメータの値の最大持続時間シーケンスが定義され得る。したがって、各バースト持続時間Ｘは、対応する時間間隔持続時間Ｙに関連付けられ得、基地局２０５は、持続時間Ｙのそれぞれの時間間隔中にそれぞれの持続時間を有するＴＲＳバーストを送信し得、ＵＥ２１５は、それを受信し得る。
【０１１６】
[0124]本明細書で説明される技法はまた、周波数ホッピングをサポートし得る。図７に、本開示の様々な態様による、新無線における追跡基準信号の構成態様をサポートするＴＲＳバーストパターン構成７００の一例を示す。いくつかの例では、ＴＲＳバーストパターン構成７００は、ワイヤレス通信システム１００および２００の態様を実装し得る。ＴＲＳホッピングでは、ＴＲＳ送信の１つまたは複数のトーンの周波数は、時間とともに変化し得、構成情報は、ホッピングパターンを示すＴＲＳパラメータを含み得る。一例では、ホッピングパターンは、トーンホッピングパターンであり得る。一例では、構成情報は、単独でまたは本明細書で説明されるＴＲＳパラメータのいずれかと組み合わせてＴＲＳ周波数シフトパラメータＯfを含み得る。ＴＲＳトーン間隔パラメータＳfとともに、構成情報は、特定のＴＲＳシンボル内のＴＲＳ帯域内のＴＲＳトーンロケーションを示し得る。ＴＲＳ周波数シフトパラメータＯfは、１つまたは複数の送信時間間隔内の（たとえば、単一のスロット内の）ＴＲＳトーンの周波数ホッピングパターンを定義する値のシーケンスとして定義され得る。
【０１１７】
[0125]図７に、ｙ軸に周波数をｘ軸に時間を示すリソースグリッド７０５−ａ、７０５−ｂを示す。リソースグリッド７０５中の各ボックスは、単一のサブキャリア（たとえば、トーン）と単一のＴＴＩ（たとえば、シンボル期間、ＯＦＤＭシンボル期間など）とに対応するリソース要素を表し得る。ＴＲＳバーストを通信するための帯域幅は、１つまたは複数のリソースブロックを含み得る特定のＴＲＳ周波数帯域に対応し得る。この例では、リソースグリッド７０５の各々についてのＴＲＳ周波数帯域は、１２個のサブキャリア（たとえば、サブキャリア０〜１１）を含む単一のリソースブロックに対応し得る。スロットは、１４個のシンボル期間を含むように定義され得、リソースグリッド７０５は、１つのスロット（たとえば、シンボル期間０〜１３）を示し得る。
【０１１８】
[0126]ＴＲＳ周波数シフトパラメータＯfは、基準周波数に対するオフセット（たとえば、特定の基準要素のサブキャリアに対するオフセット）を定義し得る。基準周波数は、リソースグリッド７０５（たとえば、サブキャリア１１）内のサブキャリアの周波数であり得る。リソースグリッド７０５−ａのための図示された例では、構成情報は、ＴＲＳ周波数シフトパラメータＯfが１の値を有する（たとえば、Ｏf＝１である）ことと、ＴＲＳトーン間隔パラメータＳfが４の値を有する（たとえば、Ｓf＝４である）ことと、ＴＲＳシンボル間隔パラメータＳtが７の値を有する（たとえば、Ｓt＝７である）こととを示し得る。場合によっては、ＴＲＳシンボル間隔パラメータＳtは、同じスロット中の２つのＴＲＳシンボル間の距離を示し得、開始シンボルインデックスのロケーションは、構成情報中に指定され得るかまたは示され得る。場合によっては、構成情報は、シンボルインデックスのセットの各シンボルインデックスのオフセット値を指定し得る。リソースグリッド７０５−ａ中の図示された例では、開始シンボルインデックスはシンボル３を示し得る。したがって、構成情報は、ＴＲＳトーンがリソースグリッド７０５−ａ内のシンボル期間３中のサブキャリア１において通信されることを示し得、追加のＴＲＳトーンは、リソースグリッド７０５−ａ内の４つのサブキャリアだけ離間したシンボル期間３中で通信される。したがって、ＴＲＳトーンはまた、サブキャリア５および９のシンボル期間３中でリソース要素に位置する。この例では、ＴＲＳシンボル間隔パラメータＳtは、７の値を有し、したがって、ＴＲＳトーンは、シンボル期間１０のサブキャリア１、５、および９中で通信される。
【０１１９】
[0127]いくつかの例では、構成情報は、ＴＲＳバーストパターンについて、ＴＲＳトーンの周波数ホッピングをサポートするためにＴＲＳ周波数シフトパラメータＯfの値のシーケンスを示し得る。リソースグリッド７０５−ｂでは、ＴＲＳ周波数シフトパラメータＯfは、スロットごとにまたはスロット内のＴＲＳシンボルインデックスごとに異なり得る。図示された例では、ＴＲＳ周波数シフトパラメータＯfは、スロットの第１のＴＲＳシンボル期間中に（たとえば、シンボルインデックス３において）３の値を有し、同じスロットの第２のＴＲＳシンボル期間中に１の値を有し得る。したがって、ＴＲＳトーンは、グリッド７０５−ｂ中のスロットのシンボル期間３のサブキャリア３、６、および１１中で通信され、ＴＲＳトーンは、グリッド７０５−ｂのスロットのシンボル期間１０のサブキャリア１、５、および９中で通信される。有益には、異なる周波数オフセット（たとえば、異なる周波数シフト）を有する複数のＴＲＳトーンは、遅延拡散推定、ＰＤＰ推定などにおける増加した引き込み範囲を達成するために同じスロット中で通信され得る。Ｓf＝４のサブキャリア間隔をもち、２つのリソース要素の周波数ホッピングを使用するリソースグリッド７０５−ｂは、Ｓf＝２のサブキャリア空間と同じ推定範囲を与え得る。したがって、半数のＴＲＳトーンを使用しながら同じ推定範囲が取得され、それによって、ＴＲＳトーンオーバーヘッドを著しく低減するが、相当するパフォーマンスを維持し得る。
【０１２０】
[0128]周波数ホッピングの利益のうちのいくつかは、より大きい帯域幅スケールでも取得され得る。図８に、本開示の様々な態様による、新無線における追跡基準信号の構成態様をサポートするＴＲＳバーストパターン構成８００の一例を示す。いくつかの例では、ＴＲＳバーストパターン構成８００は、ワイヤレス通信システム１００および２００の態様を実装し得る。小さい帯域幅ＴＲＳリソースが、より広い帯域幅をカバーするためにサブバンドホッピングで構成され得る場合、ＴＲＳサブバンドホッピングが適用され得る。たとえば、ＴＲＳリソースの帯域幅は、帯域幅部分の部分または帯域幅部分全体を構成するいくつかのまたはより多くのリソースブロックのセットを含むように定義され得る。システム帯域幅は、別個の帯域幅部分のセットを含み得る。
【０１２１】
[0129]構成情報は、使用されている周波数オフセットおよび／またはホッピングパターンを示す構成パラメータを含み得る。たとえば、帯域幅部分は、利用可能なＴＲＳ帯域幅のセットに分割され得、構成情報は、ＴＲＳバーストのためのホッピングパターンを指定し得る。ＴＲＳバーストは、利用可能なＴＲＳ帯域幅からホッピングパターンによる帯域幅にホッピングし得る。構成情報は、ＴＲＳ送信のための１つまたは複数のスロットと１つまたは複数の利用可能な帯域幅とを識別し得る。ＴＲＳ送信は、１つまたは複数のＴＲＳバーストを含み得る。図示された例では、３つの利用可能なＴＲＳ帯域幅が定義され得る（たとえば、ＴＲＳ  ＢＷ０、１、および２）。構成情報は、ＴＲＳ送信が、スロット０においてＴＲＳ  ＢＷ２中で、スロット５においてＴＲＳ  ＢＷ１中で、およびスロット１０においてＴＲＳ  ＢＷ０中で通信されることを指定し得る。ＴＲＳ送信のためのホッピングパターンは、基地局が構成情報を変更するまで１５個のスロットごとに繰り返し得る。構成情報は、他のホッピングパターンを定義し得る。別の例では、システム帯域幅は、利用可能な帯域幅部分のセットに分割され得、構成情報は、ＴＲＳバーストのためのホッピングパターンを指定し得る。ＴＲＳバーストは、帯域幅部分からホッピングパターンによる帯域幅部分にホッピングし得る。本明細書で説明されるＴＲＳパラメータはまた、スロットごとに変化し得る。
【０１２２】
[0130]図９に、本開示の様々な態様による、新無線における追跡基準信号の構成態様をサポートするプロセスフロー９００の一例を示す。いくつかの例では、プロセスフロー９００は、ワイヤレス通信システム１００および２００の態様を実装し得る。基地局９０５は、基地局１０５、２０５の一例であり、ＵＥ９１５は、ＵＥ１１５、２１５の一例である。
【０１２３】
[0131]９２０において、基地局９０５は、第１のバースト持続時間と第２のバースト持続時間とを含むＴＲＳバーストのためのバースト持続時間のセットを選択し得、ここで、第１のバースト持続時間は、第２のバースト持続時間とは異なる。他の例では、３つ以上のバースト持続時間が、選定され得る。
【０１２４】
[0132]９２５において、基地局９０５は、ＵＥ９１５に第１のバースト持続時間と第２のバースト持続時間とを含むバースト持続時間のセットを示す構成情報を送信し得る。場合によっては、基地局９０５は、ＵＥ９１５に第１のＴＲＳリソースと第２のＴＲＳリソースとを含むＴＲＳリソースのセットを割り振り得、ここにおいて、構成情報は、リソースのセットの各々がＵＥ９１５に割り振られていることを示す。場合によっては、基地局９０５は、第１のリソースと第２のリソースとの間の時間オフセットを決定し得、ここにおいて、構成情報が時間オフセットを示す。場合によっては、基地局９０５は、第２のリソースに対する第１のリソースの優先順序を決定し得、ここにおいて、構成情報は、優先順序を示す。
【０１２５】
[0133]９３０において、ＵＥ９１５は、構成情報を受信し、処理し得る。いくつかの例では、ＵＥ９１５は、構成情報から、第１のバースト持続時間が第１の時間間隔に対応し、第２のバースト持続時間が第２の時間間隔に対応すると決定し得、第２の時間間隔は、第１の時間間隔の後に発生する。いくつかの例では、ＵＥ９１５は、構成情報から、ＴＲＳバーストの送信が、時間間隔のセットの各時間間隔において第１のバースト持続時間と第２のバースト持続時間とで交互になるようにスケジュールされていると決定し得る。場合によっては、ＵＥ９１５は、構成情報から、第１のバースト持続時間が第１のリソースに対応し、第２のバースト持続時間が第２のリソースに対応すると決定し得る。
【０１２６】
[0134]９３５において、基地局９０５は、構成情報に従って第１のバースト持続時間を有する第１のＴＲＳバーストを送信し得る。９４０において、ＵＥ９１５は、構成情報に従って第１のバースト持続時間を有する第１のＴＲＳバーストについてモニタし、検出し得る。
【０１２７】
[0135]９４５において、基地局９０５は、構成情報に従って第２のバースト持続時間を有する第２のＴＲＳバーストを送信し得る。場合によっては、基地局９０５は、時間間隔のセットの各時間間隔において第１のＴＲＳバーストと第２のＴＲＳバーストの送信を交互に行い得る。９５０において、ＵＥ９１５は、構成情報に従って第２のバースト持続時間を有する第２のＴＲＳバーストについてモニタし、検出し得る。
【０１２８】
[0136]９５５において、ＵＥ９１５は、検出された第１のＴＲＳバーストと第２のＴＲＳバーストとに少なくとも部分的に基づいてリソース追跡を実行し得る。リソース追跡は、時間同期を維持するための時間追跡、周波数同期を維持するための周波数追跡などであり得る。ＵＥ９１５はまた、ドップラー拡散推定、電力遅延プロフィル（ＰＤＰ）推定、遅延推定などのうちの１つまたは複数について受信されたＴＲＳトーンを処理し得る。
【０１２９】
[0137]図１０に、本開示の様々な態様による、新無線における追跡基準信号の構成態様をサポートするプロセスフロー１０００の一例を示す。いくつかの例では、プロセスフロー１０００は、ワイヤレス通信システム１００および２００の態様を実装し得る。基地局１００５は、基地局１０５、２０５、９０５の一例であり、ＵＥ１０１５は、ＵＥ１１５、２１５、１０１５の一例である。
【０１３０】
[0138]１０２０において、基地局１００５は、周波数オフセットパラメータを選択し得る。周波数オフセットパラメータは、基準周波数（たとえば、特定の基準要素のサブキャリア）に対するオフセットを示し得、リソース要素の数、周波数帯域、周波数帯域幅部分などで表され得る。場合によっては、基地局１００５は、第１のオフセット値（たとえば、スロットの第１のシンボル期間のオフセット値）と第２のオフセット値（たとえば、スロットの第２の、異なるシンボル期間のオフセット値）とを決定し得、ここにおいて、周波数オフセットパラメータは、第１のオフセット値と第２のオフセット値とを示す。場合によっては、オフセットは、特定の送信時間間隔内の（たとえば、スロット内の）シンボルインデックスのセットについて示され得、周波数オフセットパラメータは、シンボルインデックスのセット中のシンボルインデックスごとにオフセット値を指定し得る。
【０１３１】
[0139]１０２５において、基地局１００５は、ＵＥ１０１５に周波数オフセットパラメータを示す構成情報を送信し得、ＵＥ１０１５は、構成情報を受信し得る。場合によっては、基地局１００５は、ＴＲＳ送信のためのトーン間隔を決定し得、構成情報は、トーン間隔を示し得る。
【０１３２】
[0140]１０３０において、ＵＥ１０１５は、構成情報を受信し、処理し得る。１０３５において、基地局１００５は、周波数オフセットパラメータに対応する周波数オフセットを有するＴＲＳ送信を送信し得る。１０４０において、ＵＥ１０１５は、周波数オフセットパラメータに少なくとも部分的に基づいて周波数帯域内でのＴＲＳ送信についてモニタし、検出し得る。１０４５において、ＵＥ１０１５は、検出されたＴＲＳ送信に少なくとも部分的に基づいてリソース追跡を実行し得る。
【０１３３】
[0141]有益には、本明細書で説明される技法は、ＵＥがＴＲＳオーバーヘッドを管理しながらリソース追跡を実行することを可能にするＴＲＳバーストパターン構成を提供する。
【０１３４】
[0142]図１１に、本開示の態様による、新無線における追跡基準信号の構成態様をサポートするワイヤレスデバイス１１０５のブロック図１１００を示す。ワイヤレスデバイス１１０５は、本明細書で説明したユーザ機器（ＵＥ）１１５の態様の一例であり得る。ワイヤレスデバイス１１０５は、受信機１１１０と、ＵＥ通信マネージャ１１１５と、送信機１１２０とを含み得る。ワイヤレスデバイス１１０５はプロセッサをも含み得る。これらのコンポーネントの各々は（たとえば、１つまたは複数のバスを介して）互いに通信していることがある。
【０１３５】
[0143]受信機１１１０は、パケット、ユーザデータ、または様々な情報チャネルに関連する制御情報（たとえば、制御チャネル、データチャネル、および新無線における追跡基準信号の構成態様に関係する情報など）などの情報を受信し得る。情報はデバイスの他のコンポーネントに受け渡され得る。受信機１１１０は、図１４を参照しながら説明されるトランシーバ１４３５の態様の一例であり得る。受信機１１１０は、単一のアンテナまたはアンテナのセットを利用し得る。
【０１３６】
[0144]ＵＥ通信マネージャ１１１５は、図１４を参照しながら説明されるＵＥ通信マネージャ１４１５の態様の一例であり得る。
【０１３７】
[0145]ＵＥ通信マネージャ１１１５および／またはそれの様々な副コンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ１１１５および／またはそれの様々な副コンポーネントのうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェアコンポーネント、あるいは本開示で説明される機能を実行するように設計されたそれらの任意の組合せによって実行され得る。ＵＥ通信マネージャ１１１５および／またはそれの様々な副コンポーネントのうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ１１１５および／またはそれの様々な副コンポーネントのうちの少なくともいくつかは、本開示の様々な態様による、分離したおよび別個のコンポーネントであり得る。他の例では、ＵＥ通信マネージャ１１１５および／またはそれの様々な副コンポーネントのうちの少なくともいくつかは、本開示の様々な態様による、限定はしないが、Ｉ／Ｏコンポーネント、トランシーバ、ネットワークサーバ、別のコンピューティングデバイス、本開示で説明される１つまたは複数の他のコンポーネント、またはそれらの組合せを含む、１つまたは複数の他のハードウェアコンポーネントと組み合わされ得る。
【０１３８】
[0146]ＵＥ通信マネージャ１１１５は、ＴＲＳバーストのための第１のバースト持続時間と第２のバースト持続時間とを示す構成情報を受信することと、第１のバースト持続時間は、第２のバースト持続時間とは異なる、構成情報に基づいて第１のバースト持続時間を有する第１のＴＲＳバーストと第２のバースト持続時間を有する第２のＴＲＳバーストとを検出することと、検出された第１のＴＲＳバーストと第２のＴＲＳバーストとに基づいてリソース追跡を実行することとを行い得る。ＵＥ通信マネージャ１１１５はまた、周波数オフセットパラメータを示す構成情報を受信することと、周波数オフセットパラメータに基づいて周波数帯域内のＴＲＳ送信を検出することと、検出されたＴＲＳ送信に基づいてリソース追跡を実行することとを行い得る。
【０１３９】
[0147]送信機１１２０は、デバイスの他のコンポーネントによって生成された信号を送信し得る。いくつかの例では、送信機１１２０は、トランシーバモジュールにおいて受信機１１１０とコロケートされ得る。たとえば、送信機１１２０は、図１４を参照しながら説明されるトランシーバ１４３５の態様の一例であり得る。送信機１１２０は、単一のアンテナまたはアンテナのセットを利用し得る。
【０１４０】
[0148]図１２に、本開示の態様による、新無線における追跡基準信号の構成態様をサポートするワイヤレスデバイス１２０５のブロック図１２００を示す。ワイヤレスデバイス１２０５は、図１１を参照しながら説明したワイヤレスデバイス１１０５またはＵＥ１１５の態様の一例であり得る。ワイヤレスデバイス１２０５は、受信機１２１０と、ＵＥ通信マネージャ１２１５と、送信機１２２０とを含み得る。ワイヤレスデバイス１２０５はプロセッサをも含み得る。これらのコンポーネントの各々は（たとえば、１つまたは複数のバスを介して）互いに通信していることがある。
【０１４１】
[0149]受信機１２１０は、パケット、ユーザデータ、または様々な情報チャネルに関連する制御情報（たとえば、制御チャネル、データチャネル、および新無線における追跡基準信号の構成態様に関係する情報など）などの情報を受信し得る。情報はデバイスの他のコンポーネントに受け渡され得る。受信機１２１０は、図１４を参照しながら説明されるトランシーバ１４３５の態様の一例であり得る。受信機１２１０は、単一のアンテナまたはアンテナのセットを利用し得る。
【０１４２】
[0150]ＵＥ通信マネージャ１２１５は、図１４を参照しながら説明されるＵＥ通信マネージャ１４１５の態様の一例であり得る。ＵＥ通信マネージャ１２１５はまた、構成コンポーネント１２２５と、検出コンポーネント１２３０と、追跡コンポーネント１２３５とを含み得る。
【０１４３】
[0151]構成コンポーネント１２２５は、ＴＲＳバーストのための第１のバースト持続時間と第２のバースト持続時間とを示す構成情報を受信すること、第１のバースト持続時間は、第２のバースト持続時間とは異なる、を行い得、構成情報から、ＴＲＳ送信のための第１のバースト持続時間と第２のバースト持続時間とを決定し得る。構成コンポーネント１２２５は、構成情報から、ＴＲＳバーストの送信が、時間間隔のセットの各時間間隔において第１のバースト持続時間と第２のバースト持続時間とで交互になるようにスケジュールされていると決定し得、構成情報から、バースト持続時間のセットと、バースト持続時間のセットの各々についての対応する時間間隔持続時間とを決定すること、バースト持続時間のセットが、第１および第２のバースト持続時間を含む、を行い得る。
【０１４４】
[0152]構成コンポーネント１２２５は、構成情報から、周波数オフセットパラメータとトーン間隔との一方または両方を決定し得る。場合によっては、第１のＴＲＳバーストについてモニタすることは、トーン間隔に基づく。構成コンポーネント１２２５は、構成情報から、第１のバースト持続時間が第１の時間間隔に対応し、第２のバースト持続時間が第２の時間間隔に対応すると決定すること、第２の時間間隔が、第１の時間間隔の後に発生する、を行い得、基準周波数に対する周波数帯域内のＴＲＳ送信の少なくとも１つのＴＲＳトーンのロケーションを決定するために周波数オフセットパラメータとトーン間隔とを処理し得る。
【０１４５】
[0153]構成コンポーネント１２２５は、第１のＴＴＩに対応する第１のオフセット値と第２のＴＴＩに対応する第２のオフセット値とを決定するために周波数オフセットパラメータを処理することと、周波数オフセットパラメータを示す構成情報を受信することとを行い得る。構成コンポーネント１２２５は、周波数オフセットパラメータから、複数のシンボルインデックスのオフセット値を決定し得る。構成コンポーネント１２２５は、複数のシンボルインデックスに対応する複数のそれぞれのシンボル期間において、ＴＲＳ送信のＴＲＳトーンについてモニタし得る。
【０１４６】
[0154]場合によっては、構成情報から、時間間隔の周期性と時間オフセットとを決定すること。周波数オフセットパラメータは、いくつかのリソース要素でオフセットを示し得る。場合によっては、周波数オフセットパラメータは、システム帯域幅内の異なる帯域幅部分のセットの帯域幅部分を示す。
【０１４７】
[0155]検出コンポーネント１２３０は、構成情報に基づいて第１のバースト持続時間を有する第１のＴＲＳバーストと第２のバースト持続時間を有する第２のＴＲＳバーストとを検出し得、時間間隔の各インスタンス内で、第１のロケーションにおいて第１のバースト持続時間を有するＴＲＳバーストとオフセットに対応する第２のロケーションにおいて第２のバースト持続時間を有するＴＲＳバーストとについてモニタし得る。検出コンポーネント１２３０は、優先順序に基づいてＴＴＩ内で第１のＴＲＳバーストまたは第２のＴＲＳバーストのうちの１つについてモニタし得、バースト持続時間のセットと、対応する時間間隔持続時間とに基づいてＴＲＳバーストのセットについてモニタすること、ＴＲＳバーストのセットが、第１および第２のＴＲＳバーストを含む、を行い得る。検出コンポーネント１２３０は、周波数オフセットパラメータに基づいて第１のＴＲＳバーストについてモニタし得、第１のオフセット値に対応する第１のＴＴＩ内でＴＲＳ送信のＴＲＳトーンと、第２のオフセット値に対応する第２のＴＴＩ内でＴＲＳ送信のＴＲＳトーンとについてモニタし得る。検出コンポーネント１２３０は、周波数オフセットパラメータに基づいて周波数帯域内でのＴＲＳ送信を検出し得、構成情報に基づいて第１のバースト持続時間を有するＴＲＳ送信と第２のバースト持続時間を有する第２のＴＲＳ送信とについてモニタし得る。
【０１４８】
[0156]追跡コンポーネント１２３５は、検出された第１のＴＲＳバーストと第２のＴＲＳバーストとに基づいてリソース追跡を実行することと、検出されたＴＲＳ送信に基づいてリソース追跡を実行することとを行い得る。
【０１４９】
[0157]送信機１２２０は、デバイスの他のコンポーネントによって生成された信号を送信し得る。いくつかの例では、送信機１２２０は、トランシーバモジュールにおいて受信機１２１０とコロケートされ得る。たとえば、送信機１２２０は、図１４を参照しながら説明されるトランシーバ１４３５の態様の一例であり得る。送信機１２２０は、単一のアンテナまたはアンテナのセットを利用し得る。
【０１５０】
[0158]図１３に、本開示の態様による、新無線における追跡基準信号の構成態様をサポートするＵＥ通信マネージャ１３１５のブロック図１３００を示す。ＵＥ通信マネージャ１３１５は、図１１、図１２、および図１４を参照しながら説明されるＵＥ通信マネージャ１１１５、ＵＥ通信マネージャ１２１５、またはＵＥ通信マネージャ１４１５の態様の一例であり得る。ＵＥ通信マネージャ１３１５は、構成コンポーネント１３２０と、検出コンポーネント１３２５と、追跡コンポーネント１３３０と、リソースアロケータ１３３５と、衝突検出器１３４０と、優先順位コンポーネント１３４５とを含み得る。これらのモジュールの各々は、直接または間接的に、（たとえば、１つまたは複数のバスを介して）互いに通信し得る。
【０１５１】
[0159]構成コンポーネント１３２０は、ＴＲＳバーストのための第１のバースト持続時間と第２のバースト持続時間とを示す構成情報を受信し得、第１のバースト持続時間は、第２のバースト持続時間とは異なる。構成コンポーネント１３２０は、構成情報から、ＴＲＳ送信のための第１のバースト持続時間と第２のバースト持続時間とを決定し得、構成情報から、ＴＲＳバーストの送信が、時間間隔のセットの各時間間隔において第１のバースト持続時間と第２のバースト持続時間とで交互になるようにスケジュールされていると決定し得る。構成コンポーネント１３２０は、構成情報から、バースト持続時間のセットと、バースト持続時間のセットの各々についての対応する時間間隔持続時間とを決定し得、バースト持続時間のセットが、第１および第２のバースト持続時間を含む。
【０１５２】
[0160]構成コンポーネント１３２０は、構成情報から、周波数オフセットパラメータとトーン間隔とを決定し得る。場合によっては、第１のＴＲＳバーストについてモニタすることは、トーン間隔に基づく。構成コンポーネント１３２０は、構成情報から、第１のバースト持続時間が第１の時間間隔に対応し、第２のバースト持続時間が第２の時間間隔に対応すると決定し得、第２の時間間隔は、第１の時間間隔の後に発生する。構成コンポーネント１３２０は、基準周波数に対する周波数帯域内のＴＲＳ送信の少なくとも１つのＴＲＳトーンのロケーションを決定するために周波数オフセットパラメータとトーン間隔とを処理し得る。場合によっては、構成コンポーネント１３２０は、第１のＴＴＩに対応する第１のオフセット値と第２のＴＴＩに対応する第２のオフセット値とを決定するために周波数オフセットパラメータを処理することと、周波数オフセットパラメータを示す構成情報を受信することとを行い得る。場合によっては、構成情報から、時間間隔の周期性と時間オフセットとを決定すること。場合によっては、周波数オフセットパラメータは、いくつかのリソース要素でオフセットを示す。場合によっては、周波数オフセットパラメータは、システム帯域幅内の異なる帯域幅部分のセットの帯域幅部分を示す。
【０１５３】
[0161]検出コンポーネント１３２５は、構成情報に基づいて第１のバースト持続時間を有する第１のＴＲＳバーストと第２のバースト持続時間を有する第２のＴＲＳバーストとを検出し得、時間間隔の各インスタンス内で、第１のロケーションにおいて第１のバースト持続時間を有するＴＲＳバーストとオフセットに対応する第２のロケーションにおいて第２のバースト持続時間を有するＴＲＳバーストとについてモニタし得る。検出コンポーネント１３２５は、優先順序に基づいてＴＴＩ内で第１のＴＲＳバーストまたは第２のＴＲＳバーストのうちの１つについてモニタし得、バースト持続時間のセットと、対応する時間間隔持続時間とに基づいてＴＲＳバーストのセットについてモニタすること、ＴＲＳバーストのセットが、第１および第２のＴＲＳバーストを含む、を行い得る。検出コンポーネント１３２５は、周波数オフセットパラメータに基づいて第１のＴＲＳバーストについてモニタし得、第１のオフセット値に対応する第１のＴＴＩ内でＴＲＳ送信のＴＲＳトーンと、第２のオフセット値に対応する第２のＴＴＩ内でＴＲＳ送信のＴＲＳトーンとについてモニタし得る。検出コンポーネント１３２５は、周波数オフセットパラメータに基づいて周波数帯域内でのＴＲＳ送信を検出し得、構成情報に基づいて第１のバースト持続時間を有するＴＲＳ送信と第２のバースト持続時間を有する第２のＴＲＳ送信とについてモニタし得る。
【０１５４】
[0162]追跡コンポーネント１３３０は、検出された第１のＴＲＳバーストと第２のＴＲＳバーストとに基づいてリソース追跡を実行することと、検出されたＴＲＳ送信に基づいてリソース追跡を実行することとを行い得る。
【０１５５】
[0163]リソースアロケータ１３３５は、構成情報から、第１のリソースと第２のリソースとがＵＥに割り振られていると決定すること、ここで、第１のバースト持続時間が第１のリソースに対応し、第２のバースト持続時間が第２のリソースに対応する、を行い得る。
【０１５６】
[0164]衝突検出器１３４０は、第１のリソースがＴＴＩ中に第２のリソースと衝突するようにスケジュールされていると決定し得る。
【０１５７】
[0165]優先順位コンポーネント１３４５は、構成情報から、第２のリソースに対する第１のリソースの優先順序を決定し、１つまたは複数のルールに基づいて第２のリソースに対する第１のリソースの優先順序を決定し得る。
【０１５８】
[0166]図１４に、本開示の態様による、新無線における追跡基準信号の構成態様をサポートするデバイス１４０５を含むシステム１４００の図を示す。デバイス１４０５は、たとえば、図１１および図１２を参照しながら上記で説明したワイヤレスデバイス１１０５、ワイヤレスデバイス１２０５、またはＵＥ１１５のコンポーネントの一例であるか、またはそれを含み得る。デバイス１４０５は、ＵＥ通信マネージャ１４１５と、プロセッサ１４２０と、メモリ１４２５と、ソフトウェア１４３０と、トランシーバ１４３５と、アンテナ１４４０と、Ｉ／Ｏコントローラ１４４５とを含む、通信を送信および受信するためのコンポーネントを含む双方向音声およびデータ通信のためのコンポーネントを含み得る。これらのコンポーネントは、１つまたは複数のバス（たとえば、バス１４１０）を介して電子通信していることがある。デバイス１４０５は、１つまたは複数の基地局１０５とワイヤレス通信し得る。
【０１５９】
[0167]プロセッサ１４２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理コンポーネント、個別ハードウェアコンポーネント、あるいはそれらの任意の組合せ）を含み得る。場合によっては、プロセッサ１４２０は、メモリコントローラを使用してメモリアレイを動作させるように構成され得る。他の場合には、メモリコントローラはプロセッサ１４２０に組み込まれ得る。プロセッサ１４２０は、様々な機能（たとえば、新無線における追跡基準信号の構成態様をサポートする機能またはタスク）を実施するためにメモリに記憶されたコンピュータ可読命令を実行するように構成され得る。
【０１６０】
[0168]メモリ１４２５は、ランダムアクセスメモリ（ＲＡＭ）および読取り専用メモリ（ＲＯＭ）を含み得る。メモリ１４２５は、実行されたとき、プロセッサに本明細書で説明される様々な機能を実行させる命令を含むコンピュータ可読、コンピュータ実行可能ソフトウェア１４３０を記憶し得る。場合によっては、メモリ１４２５は、特に、周辺コンポーネントまたはデバイスとの対話などの基本的なハードウェアまたはソフトウェア動作を制御し得る基本入出力システム（ＢＩＯＳ）を含み得る。
【０１６１】
[0169]ソフトウェア１４３０は、新無線における追跡基準信号の構成態様をサポートするためのコードを含む、本開示の態様を実装するためのコードを含み得る。ソフトウェア１４３０は、システムメモリまたは他のメモリなど、非一時的コンピュータ可読媒体に記憶され得る。いくつかの場合には、ソフトウェア１４３０は、プロセッサによって直接的に実行可能でないことがあるが、（たとえば、コンパイルされ実行されたとき）コンピュータに本明細書で説明される機能を実行させ得る。
【０１６２】
[0170]トランシーバ１４３５は、上記で説明したように、１つまたは複数のアンテナ、ワイヤードリンク、またはワイヤレスリンクを介して、双方向に通信し得る。たとえば、トランシーバ１４３５はワイヤレストランシーバを表し得、別のワイヤレストランシーバと双方向に通信し得る。トランシーバ１４３５はまた、パケットを変調し、変調されたパケットを送信のためにアンテナに与えるための、およびアンテナから受信されたパケットを復調するためのモデムを含み得る。
【０１６３】
[0171]場合によっては、ワイヤレスデバイスは単一のアンテナ１４４０を含み得る。しかしながら、場合によっては、デバイスは、複数のワイヤレス送信を同時に送信または受信することが可能であってもよい２つ以上のアンテナ１４４０を有し得る。
【０１６４】
[0172]Ｉ／Ｏコントローラ１４４５は、デバイス１４０５のための入力信号および出力信号を管理し得る。Ｉ／Ｏコントローラ１４４５は、デバイス１４０５に組み込まれていない周辺機器をも管理し得る。場合によっては、Ｉ／Ｏコントローラ１４４５は、外部周辺機器への物理接続またはポートを表し得る。場合によっては、Ｉ／Ｏコントローラ１４４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、Ｉ／Ｏコントローラ１４４５は、モデム、キーボード、マウス、タッチスクリーン、または同様のデバイスを表すか、またはそれと対話し得る。Ｉ／Ｏコントローラ１４４５は、プロセッサの一部として実装され得る。いくつかの例では、ユーザは、Ｉ／Ｏコントローラ１４４５を介して、またはＩ／Ｏコントローラ１４４５によって制御されるハードウェアコンポーネントを介してデバイス１４０５と対話し得る。
【０１６５】
[0173]図１５に、本開示の態様による、新無線における追跡基準信号の構成態様をサポートするワイヤレスデバイス１５０５のブロック図１５００を示す。ワイヤレスデバイス１５０５は、本明細書で説明した基地局１０５の態様の一例であり得る。ワイヤレスデバイス１５０５は、受信機１５１０と、基地局通信マネージャ１５１５と、送信機１５２０とを含み得る。ワイヤレスデバイス１５０５は、プロセッサをも含み得る。これらのコンポーネントの各々は（たとえば、１つまたは複数のバスを介して）互いと通信していることがある。
【０１６６】
[0174]受信機１５１０は、パケット、ユーザデータ、または様々な情報チャネルに関連する制御情報（たとえば、制御チャネル、データチャネル、および新無線における追跡基準信号の構成態様に関係する情報など）などの情報を受信し得る。情報はデバイスの他のコンポーネントに受け渡され得る。受信機１５１０は、図１８を参照しながら説明されるトランシーバ１８３５の態様の一例であり得る。受信機１５１０は、単一のアンテナまたはアンテナのセットを利用し得る。
【０１６７】
[0175]基地局通信マネージャ１５１５は、図１８を参照しながら説明される基地局通信マネージャ１８１５の態様の一例であり得る。
【０１６８】
[0176]基地局通信マネージャ１５１５および／またはそれの様々な副コンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１５１５および／またはそれの様々な副コンポーネントのうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェアコンポーネント、あるいは本開示で説明される機能を実行するように設計されたそれらの任意の組合せによって実行され得る。基地局通信マネージャ１５１５および／またはそれの様々な副コンポーネントのうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ１５１５および／またはそれの様々な副コンポーネントのうちの少なくともいくつかは、本開示の様々な態様による、分離したおよび別個のコンポーネントであり得る。他の例では、基地局通信マネージャ１５１５および／またはそれの様々な副コンポーネントのうちの少なくともいくつかは、本開示の様々な態様による、限定はしないが、Ｉ／Ｏコンポーネント、トランシーバ、ネットワークサーバ、別のコンピューティングデバイス、本開示で説明される１つまたは複数の他のコンポーネント、またはそれらの組合せを含む、１つまたは複数の他のハードウェアコンポーネントと組み合わされ得る。
【０１６９】
[0177]基地局通信マネージャ１５１５は、ＴＲＳバーストのための第１のバースト持続時間と第２のバースト持続時間とを選択することと、第１のバースト持続時間は、第２のバースト持続時間とは異なる、第１のバースト持続時間と第２のバースト持続時間とを示す構成情報を送信することと、第１のバースト持続時間を有する第１のＴＲＳバーストと第２のバースト持続時間を有する第２のＴＲＳバーストとを送信することとを行い得る。基地局通信マネージャ１５１５はまた、周波数オフセットパラメータを選択することと、周波数オフセットパラメータを示す構成情報を送信することと、周波数オフセットパラメータに対応する周波数オフセットを有するＴＲＳ送信を送信することとを行い得る。
【０１７０】
[0178]送信機１５２０は、デバイスの他のコンポーネントによって生成された信号を送信し得る。いくつかの例では、送信機１５２０は、トランシーバモジュールにおいて受信機１５１０とコロケートされ得る。たとえば、送信機１５２０は、図１８を参照しながら説明されるトランシーバ１８３５の態様の一例であり得る。送信機１５２０は、単一のアンテナまたはアンテナのセットを利用し得る。
【０１７１】
[0179]図１６に、本開示の態様による、新無線における追跡基準信号の構成態様をサポートするワイヤレスデバイス１６０５のブロック図１６００を示す。ワイヤレスデバイス１６０５は、図１５を参照しながら説明したワイヤレスデバイス１５０５または基地局１０５の態様の一例であり得る。ワイヤレスデバイス１６０５は、受信機１６１０と、基地局通信マネージャ１６１５と、送信機１６２０とを含み得る。ワイヤレスデバイス１６０５は、プロセッサをも含み得る。これらのコンポーネントの各々は（たとえば、１つまたは複数のバスを介して）互いに通信していることがある。
【０１７２】
[0180]受信機１６１０は、パケット、ユーザデータ、または様々な情報チャネルに関連する制御情報（たとえば、制御チャネル、データチャネル、および新無線における追跡基準信号の構成態様に関係する情報など）などの情報を受信し得る。情報はデバイスの他のコンポーネントに受け渡され得る。受信機１６１０は、図１８を参照しながら説明されるトランシーバ１８３５の態様の一例であり得る。受信機１６１０は、単一のアンテナまたはアンテナのセットを利用し得る。
【０１７３】
[0181]基地局通信マネージャ１６１５は、図１８を参照しながら説明される基地局通信マネージャ１８１５の態様の一例であり得る。基地局通信マネージャ１６１５はまた、セレクタコンポーネント１６２５と、構成コンポーネント１６３０と、バーストコンポーネント１６３５と、ＴＲＳコミュニケータ１６４０とを含み得る。
【０１７４】
[0182]セレクタコンポーネント１６２５は、ＴＲＳバーストのための第１のバースト持続時間と第２のバースト持続時間とを選択することと、第１のバースト持続時間は、第２のバースト持続時間とは異なる、周波数オフセットパラメータを選択することと、ＴＲＳ送信のためのトーン間隔を決定することと、ここで、構成情報がトーン間隔を示す、を行い得る。セレクタコンポーネント１６２５は、シンボルインデックスのセットのオフセット値を決定すること、ここで、構成情報は、複数のシンボルインデックスを示す、を行い得る。場合によっては、第１のＴＴＩに対応する第１のオフセット値と第２のＴＴＩに対応する第２のオフセット値とを決定すること、ここで、周波数オフセットパラメータは、第１のオフセット値と第２のオフセット値とを示す、ここで、ＴＲＳ送信を送信することが、第１のオフセット値に対応する第１のＴＴＩ内でＴＲＳ送信のＴＲＳトーンを送信し、第２のオフセット値に対応する第２のＴＴＩ内でＴＲＳ送信のＴＲＳトーンを送信することを含む。場合によっては、周波数オフセットパラメータは、いくつかのリソース要素でオフセットを示す。場合によっては、周波数オフセットパラメータは、システム帯域幅内の異なる帯域幅部分のセットの帯域幅部分を示す。
【０１７５】
[0183]構成コンポーネント１６３０は、第１のバースト持続時間と第２のバースト持続時間とを示す構成情報を送信し、周波数オフセットパラメータを示す構成情報を送信し得る。
【０１７６】
[0184]バーストコンポーネント１６３５は、第１のバースト持続時間を有する第１のＴＲＳバーストと第２のバースト持続時間を有する第２のＴＲＳバーストとを送信し得る。場合によっては、第１のＴＲＳバーストと第２のＴＲＳバーストとを送信することは、時間間隔のセットの各時間間隔において第１のＴＲＳバーストと第２のＴＲＳバーストの送信を交互に行うことを含む。
【０１７７】
[0185]ＴＲＳコミュニケータ１６４０は、周波数オフセットパラメータに対応する周波数オフセットを有するＴＲＳ送信を送信し得る。
【０１７８】
[0186]送信機１６２０は、デバイスの他のコンポーネントによって生成された信号を送信し得る。いくつかの例では、送信機１６２０は、トランシーバモジュールにおいて受信機１６１０とコロケートされ得る。たとえば、送信機１６２０は、図１８を参照しながら説明されるトランシーバ１８３５の態様の一例であり得る。送信機１６２０は、単一のアンテナまたはアンテナのセットを利用し得る。
【０１７９】
[0187]図１７に、本開示の態様による、新無線における追跡基準信号の構成態様をサポートする基地局通信マネージャ１７１５のブロック図１７００を示す。基地局通信マネージャ１７１５は、図１５、図１６、および図１８を参照しながら説明される基地局通信マネージャ１８１５の態様の一例であり得る。基地局通信マネージャ１７１５は、セレクタコンポーネント１７２０と、構成コンポーネント１７２５と、バーストコンポーネント１７３０と、ＴＲＳコミュニケータ１７３５と、割振りコンポーネント１７４０と、オフセットコンポーネント１７４５と、優先順位決定器１７５０とを含み得る。これらのモジュールの各々は、直接または間接的に、（たとえば、１つまたは複数のバスを介して）互いに通信し得る。
【０１８０】
[0188]セレクタコンポーネント１７２０は、ＴＲＳバーストのための第１のバースト持続時間と第２のバースト持続時間とを選択することと、第１のバースト持続時間は、第２のバースト持続時間とは異なる、周波数オフセットパラメータを選択することと、ＴＲＳ送信のためのトーン間隔を決定することと、ここで、構成情報がトーン間隔を示す、を行い得る。場合によっては、第１のＴＴＩに対応する第１のオフセット値と第２のＴＴＩに対応する第２のオフセット値とを決定すること、ここで、周波数オフセットパラメータは、第１のオフセット値と第２のオフセット値とを示す、ここで、ＴＲＳ送信を送信することが、第１のオフセット値に対応する第１のＴＴＩ内でＴＲＳ送信のＴＲＳトーンを送信し、第２のオフセット値に対応する第２のＴＴＩ内でＴＲＳ送信のＴＲＳトーンを送信することを含む。場合によっては、周波数オフセットパラメータは、いくつかのリソース要素でオフセットを示す。場合によっては、周波数オフセットパラメータは、システム帯域幅内の異なる帯域幅部分のセットの帯域幅部分を示す。
【０１８１】
[0189]構成コンポーネント１７２５は、第１のバースト持続時間と第２のバースト持続時間とを示す構成情報を送信し、周波数オフセットパラメータを示す構成情報を送信し得る。構成コンポーネント１７２５は、複数のバースト持続時間と、複数のバースト持続時間の各々についての対応する時間間隔持続時間とを決定すること、複数のバースト持続時間は、第１および第２のバースト持続時間を含む、ここにおいて、構成情報は、複数のバースト持続時間と、対応する時間間隔持続時間とを示す、を行い得る。
【０１８２】
[0190]バーストコンポーネント１７３０は、第１のバースト持続時間を有する第１のＴＲＳバーストと第２のバースト持続時間を有する第２のＴＲＳバーストとを送信し得る。場合によっては、第１のＴＲＳバーストと第２のＴＲＳバーストとを送信することは、時間間隔のセットの各時間間隔において第１のＴＲＳバーストと第２のＴＲＳバーストの送信を交互に行うことを含む。
【０１８３】
[0191]ＴＲＳコミュニケータ１７３５は、周波数オフセットパラメータに対応する周波数オフセットを有するＴＲＳ送信を送信し得る。
【０１８４】
[0192]割振りコンポーネント１７４０は、ＵＥに第１のリソースと第２のリソースとを割り振ること、ここで、構成情報は、第１のリソースと第２のリソースとの各々がＵＥに割り振られていることを示す、を行い得る。
【０１８５】
[0193]オフセットコンポーネント１７４５は、第１のリソースと第２のリソースとの間の時間オフセットを決定すること、ここで、構成情報が時間オフセットを示す、を行い得る。
【０１８６】
[0194]優先順位決定器１７５０は、第２のリソースに対する第１のリソースの優先順序を決定すること、ここで、構成情報は、優先順序を示す、を行い得る。
【０１８７】
[0195]図１８に、本開示の態様による、新無線における追跡基準信号の構成態様をサポートするデバイス１８０５を含むシステム１８００の図を示す。デバイス１８０５は、たとえば、図１を参照しながら上記で説明した基地局１０５のコンポーネントの一例であるか、またはそれを含み得る。デバイス１８０５は、基地局通信マネージャ１８１５と、プロセッサ１８２０と、メモリ１８２５と、ソフトウェア１８３０と、トランシーバ１８３５と、アンテナ１８４０と、ネットワーク通信マネージャ１８４５と、局間通信マネージャ１８５０とを含む、通信を送信および受信するためのコンポーネントを含む双方向音声およびデータ通信のためのコンポーネントを含み得る。これらのコンポーネントは、１つまたは複数のバス（たとえば、バス１８１０）を介して電子通信していることがある。デバイス１８０５は、１つまたは複数のＵＥ１１５とワイヤレス通信し得る。
【０１８８】
[0196]プロセッサ１８２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理コンポーネント、個別ハードウェアコンポーネント、あるいはそれらの任意の組合せ）を含み得る。いくつかの場合には、プロセッサ１８２０は、メモリコントローラを使用してメモリアレイを動作させるように構成され得る。他の場合には、メモリコントローラはプロセッサ１８２０に組み込まれ得る。プロセッサ１８２０は、様々な機能（たとえば、新無線における追跡基準信号の構成態様をサポートする機能またはタスク）を実施するためにメモリに記憶されたコンピュータ可読命令を実行するように構成され得る。
【０１８９】
[0197]メモリ１８２５はＲＡＭとＲＯＭとを含み得る。メモリ１８２５は、実行されたときに、本明細書で説明される様々な機能をプロセッサに実施させる命令を含むコンピュータ可読、コンピュータ実行可能ソフトウェア１８３０を記憶し得る。場合によっては、メモリ１８２５は、特に、周辺コンポーネントまたはデバイスとの対話などの基本的なハードウェアまたはソフトウェア動作を制御し得るＢＩＯＳを含み得る。
【０１９０】
[0198]ソフトウェア１８３０は、新無線における追跡基準信号の構成態様をサポートするためのコードを含む、本開示の態様を実装するためのコードを含み得る。ソフトウェア１８３０は、システムメモリまたは他のメモリなど、非一時的コンピュータ可読媒体に記憶され得る。いくつかの場合には、ソフトウェア１８３０は、プロセッサによって直接的に実行可能でないことがあるが、（たとえば、コンパイルされ実行されたとき）コンピュータに本明細書で説明される機能を実行させ得る。
【０１９１】
[0199]トランシーバ１８３５は、上記で説明したように、１つまたは複数のアンテナ、ワイヤードリンク、またはワイヤレスリンクを介して双方向に通信し得る。たとえば、トランシーバ１８３５はワイヤレストランシーバを表し得、別のワイヤレストランシーバと双方向に通信し得る。トランシーバ１８３５はまた、パケットを変調し、変調されたパケットを送信のためにアンテナに与えるための、およびアンテナから受信されたパケットを復調するためのモデムを含み得る。
【０１９２】
[0200]場合によっては、ワイヤレスデバイスは単一のアンテナ１８４０を含み得る。ただし、場合によっては、デバイスは、複数のワイヤレス送信を同時に送信または受信することが可能であり得る２つ以上のアンテナ１８４０を有し得る。
【０１９３】
[0201]ネットワーク通信マネージャ１８４５は、（たとえば、１つまたは複数のワイヤードバックホールリンクを介して）コアネットワークとの通信を管理し得る。たとえば、ネットワーク通信マネージャ１８４５は、１つまたは複数のＵＥ１１５など、クライアントデバイスのためのデータ通信の転送を管理し得る。
【０１９４】
[0202]局間通信マネージャ１８５０は、他の基地局１０５との通信を管理し得、他の基地局１０５と協働してＵＥ１１５との通信を制御するためのコントローラまたはスケジューラを含み得る。たとえば、局間通信マネージャ１８５０は、ビームフォーミングまたはジョイント送信などの様々な干渉緩和技法のためのＵＥ１１５への送信のためのスケジューリングを協調させ得る。いくつかの例では、局間通信マネージャ１８５０は、基地局１０５間の通信を行うために、ＬＴＥ／ＬＴＥ−Ａワイヤレス通信ネットワーク技術内のＸ２インターフェースを与え得る。
【０１９５】
[0203]図１９に、本開示の態様による、新無線における追跡基準信号の構成態様のための方法１９００を示すフローチャートを示す。方法１９００の動作は、本明細書で説明したＵＥ１１５またはそれのコンポーネントによって実装され得る。たとえば、方法１９００の動作は、図１１〜図１４を参照しながら説明したＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１９６】
[0204]１９０５において、ＵＥ１１５は、ＴＲＳバーストのための第１のバースト持続時間と第２のバースト持続時間とを示す構成情報を受信し得、第１のバースト持続時間は、第２のバースト持続時間とは異なる。１９０５の動作は、本明細書で説明される方法に従って実行され得る。いくつかの例では、１９０５の動作の態様は、図１１〜図１４を参照しながら説明した構成コンポーネントによって実行され得る。
【０１９７】
[0205]１９１０において、ＵＥ１１５は、構成情報に少なくとも部分的に基づいて第１のバースト持続時間を有する第１のＴＲＳバーストと第２のバースト持続時間を有する第２のＴＲＳバーストとを検出し得る。１９１０の動作は、本明細書で説明される方法に従って実行され得る。いくつかの例では、１９１０の動作の態様は、図１１〜図１４を参照しながら説明した検出コンポーネントによって実行され得る。
【０１９８】
[0206]１９１５において、ＵＥ１１５は、検出された第１のＴＲＳバーストと第２のＴＲＳバーストとに少なくとも部分的に基づいてリソース追跡を実行し得る。１９１５の動作は、本明細書で説明される方法に従って実行され得る。いくつかの例では、１９１５の動作の態様は、図１１〜図１４を参照しながら説明した追跡コンポーネントによって実行され得る。
【０１９９】
[0207]図２０に、本開示の態様による、新無線における追跡基準信号の構成態様のための方法２０００を示すフローチャートを示す。方法２０００の動作は、本明細書で説明したＵＥ１１５またはそれのコンポーネントによって実装され得る。たとえば、方法２０００の動作は、図１１〜図１４を参照しながら説明したＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０２００】
[0208]２００５において、ＵＥ１１５は、ＴＲＳバーストのための第１のバースト持続時間と第２のバースト持続時間とを示す構成情報を受信し得、第１のバースト持続時間は、第２のバースト持続時間とは異なる。たとえば、第１のバースト持続時間は、第２のバースト持続時間よりも長いことも短いこともある。２００５の動作は、本明細書で説明される方法に従って実行され得る。いくつかの例では、２００５の動作の態様は、図１１〜図１４を参照しながら説明した構成コンポーネントによって実行され得る。
【０２０１】
[0209]２０１０では、ＵＥ１１５は、構成情報から、第１のリソースと第２のリソースとがＵＥに割り振られていると決定すること、ここにおいて、第１のバースト持続時間が第１のリソースに対応し、第２のバースト持続時間が第２のリソースに対応する、を行い得る。２０１０の動作は、本明細書で説明される方法に従って実行され得る。いくつかの例では、２０１０の動作の態様は、図１１〜図１４を参照しながら説明した構成コンポーネントによって実行され得る。
【０２０２】
[0210]２０１５では、ＵＥ１１５は、第１のリソースがＴＴＩ中に第２のリソースと衝突するようにスケジュールされていると決定し得る。２０１５の動作は、本明細書で説明される方法に従って実行され得る。いくつかの例では、２０１５の動作の態様は、図１１〜図１４を参照しながら説明した衝突検出器によって実行され得る。
【０２０３】
[0211]２０２０において、ＵＥ１１５は、構成情報から、第２のリソースに対する第１のリソースの優先順序を決定し得る。２０２０の動作は、本明細書で説明される方法に従って実行され得る。いくつかの例では、２０２０の動作の態様は、図１１〜図１４を参照しながら説明した優先順位コンポーネントによって実行され得る。
【０２０４】
[0212]２０２５において、ＵＥ１１５は、優先順序に少なくとも部分的に基づいてＴＴＩ内で第１のＴＲＳバーストまたは第２のＴＲＳバーストのうちの１つについてモニタし得る。２０２５の動作は、本明細書で説明される方法に従って実行され得る。いくつかの例では、２０２５の動作の態様は、図１１〜図１４を参照しながら説明した検出コンポーネントによって実行され得る。
【０２０５】
[0213]２０３０において、ＵＥ１１５は、第１のＴＲＳバーストまたは第２のＴＲＳバーストのうちの１つを検出し得る。２０３０の動作は、本明細書で説明される方法に従って実行され得る。いくつかの例では、２０３０の動作の態様は、図１１〜図１４を参照しながら説明した検出コンポーネントによって実行され得る。
【０２０６】
[0214]２０３５において、ＵＥ１１５は、検出されたＴＲＳバーストに少なくとも部分的に基づいてリソース追跡を実行し得る。２０３５の動作は、本明細書で説明される方法に従って実行され得る。いくつかの例では、２０３５の動作の態様は、図１１〜図１４を参照しながら説明した追跡コンポーネントによって実行され得る。
【０２０７】
[0215]図２１に、本開示の態様による、新無線における追跡基準信号の構成態様のための方法２１００を示すフローチャートを示す。方法２１００の動作は、本明細書で説明した、基地局１０５またはそれのコンポーネントによって実装され得る。たとえば、方法２１００の動作は、図１５〜図１８を参照しながら説明した、基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０２０８】
[0216]２１０５において、基地局１０５は、ＴＲＳバーストのための第１のバースト持続時間と第２のバースト持続時間とを選択し得、第１のバースト持続時間は、第２のバースト持続時間とは異なる。２１０５の動作は、本明細書で説明される方法に従って実行され得る。いくつかの例では、２１０５の動作の態様は、図１５〜図１８を参照しながら説明したセレクタコンポーネントによって実行され得る。
【０２０９】
[0217]２１１０において、基地局１０５は、第１のバースト持続時間と第２のバースト持続時間とを示す構成情報を送信し得る。２１１０の動作は、本明細書で説明される方法に従って実行され得る。いくつかの例では、２１１０の動作の態様は、図１５〜図１８を参照しながら説明した構成コンポーネントによって実行され得る。
【０２１０】
[0218]２１１５において、基地局１０５は、第１のバースト持続時間を有する第１のＴＲＳバーストと第２のバースト持続時間を有する第２のＴＲＳバーストとを送信し得る。２１１５の動作は、本明細書で説明される方法に従って実行され得る。いくつかの例では、２１１５の動作の態様は、図１５〜図１８を参照しながら説明したバーストコンポーネントによって実行され得る。
【０２１１】
[0219]図２２に、本開示の態様による、新無線における追跡基準信号の構成態様のための方法２２００を示すフローチャートを示す。方法２２００の動作は、本明細書で説明した、ＵＥ１１５またはそれのコンポーネントによって実装され得る。たとえば、方法２２００の動作は、図１１〜図１４を参照しながら説明したＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０２１２】
[0220]２２０５において、ＵＥ１１５は、周波数オフセットパラメータを示す構成情報を受信し得る。２２０５の動作は、本明細書で説明される方法に従って実行され得る。いくつかの例では、２２０５の動作の態様は、図１１〜図１４を参照しながら説明した構成コンポーネントによって実行され得る。
【０２１３】
[0221]２２１０において、ＵＥ１１５は、周波数オフセットパラメータに少なくとも部分的に基づいて周波数帯域内でのＴＲＳ送信を検出し得る。２２１０の動作は、本明細書で説明される方法に従って実行され得る。いくつかの例では、２２１０の動作の態様は、図１１〜図１４を参照しながら説明した検出コンポーネントによって実行され得る。
【０２１４】
[0222]２２１５において、ＵＥ１１５は、検出されたＴＲＳ送信に少なくとも部分的に基づいてリソース追跡を実行し得る。２２１５の動作は、本明細書で説明される方法に従って実行され得る。いくつかの例では、２２１５の動作の態様は、図１１〜図１４を参照しながら説明した追跡コンポーネントによって実行され得る。
【０２１５】
[0223]図２３に、本開示の態様による、新無線における追跡基準信号の構成態様のための方法２３００を示すフローチャートを示す。方法２３００の動作は、本明細書で説明した、ＵＥ１１５またはそれのコンポーネントによって実装され得る。たとえば、方法２３００の動作は、図１１〜図１４を参照しながら説明したＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０２１６】
[0224]２３０５において、ＵＥ１１５は、周波数オフセットパラメータを示す構成情報を受信し得る。２３０５の動作は、本明細書で説明される方法に従って実行され得る。いくつかの例では、２３０５の動作の態様は、図１１〜図１４を参照しながら説明した構成コンポーネントによって実行され得る。
【０２１７】
[0225]２３１０において、ＵＥ１１５は、第１のＴＴＩに対応する第１のオフセット値と第２のＴＴＩに対応する第２のオフセット値とを決定するために周波数オフセットパラメータを処理し得る。２３１０の動作は、本明細書で説明される方法に従って実行され得る。いくつかの例では、２３１０の動作の態様は、図１１〜図１４を参照しながら説明した構成コンポーネントによって実行され得る。
【０２１８】
[0226]２３１５において、ＵＥ１１５は、第１のオフセット値に対応する第１のＴＴＩ内でＴＲＳ送信のＴＲＳトーンと、第２のオフセット値に対応する第２のＴＴＩ内でＴＲＳ送信のＴＲＳトーンとについてモニタし得る。２３１５の動作は、本明細書で説明される方法に従って実行され得る。いくつかの例では、２３１５の動作の態様は、図１１〜図１４を参照しながら説明した検出コンポーネントによって実行され得る。
【０２１９】
[0227]２３２０において、ＵＥ１１５は、周波数オフセットパラメータに少なくとも部分的に基づいて周波数帯域内でのＴＲＳ送信を検出し得る。２３２０の動作は、本明細書で説明される方法に従って実行され得る。いくつかの例では、２３２０の動作の態様は、図１１〜図１４を参照しながら説明した検出コンポーネントによって実行され得る。
【０２２０】
[0228]２３２５において、ＵＥ１１５は、検出されたＴＲＳ送信に少なくとも部分的に基づいてリソース追跡を実行し得る。２３２５の動作は、本明細書で説明される方法に従って実行され得る。いくつかの例では、２３２５の動作の態様は、図１１〜図１４を参照しながら説明した追跡コンポーネントによって実行され得る。
【０２２１】
[0229]図２４に、本開示の態様による、新無線における追跡基準信号の構成態様のための方法２４００を示すフローチャートを示す。方法２４００の動作は、本明細書で説明した、基地局１０５またはそれのコンポーネントによって実装され得る。たとえば、方法２４００の動作は、図１５〜図１８を参照しながら説明した基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０２２２】
[0230]２４０５において、基地局１０５は、周波数オフセットパラメータを選択し得る。２４０５の動作は、本明細書で説明される方法に従って実行され得る。いくつかの例では、２４０５の動作の態様は、図１５〜図１８を参照しながら説明したセレクタコンポーネントによって実行され得る。
【０２２３】
[0231]２４１０において、基地局１０５は、周波数オフセットパラメータを示す構成情報を送信し得る。２４１０の動作は、本明細書で説明される方法に従って実行され得る。いくつかの例では、２４１０の動作の態様は、図１５〜図１８を参照しながら説明した構成コンポーネントによって実行され得る。
【０２２４】
[0232]２４１５において、基地局１０５は、周波数オフセットパラメータに対応する周波数オフセットを有するＴＲＳ送信を送信し得る。２４１５の動作は、本明細書で説明される方法に従って実行され得る。いくつかの例では、２４１５の動作の態様は、図１５〜図１８を参照しながら説明したＴＲＳコミュニケータによって実行され得る。
【０２２５】
[0233]上記で説明される方法が、可能な実装形態を表すこと、ならびに動作およびステップが並べ替えられるかあるいは別の様態で変更され得ること、ならびに他の実装形態が可能であることに留意されたい。さらに、方法のうちの２つ以上からの態様が組み合わされ得る。
【０２２６】
[0234]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０２２７】
[0235]ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書において説明される技法は、上記のシステムおよび無線技術、ならびに他のシステムおよび無線技術に使用され得る。ＬＴＥまたはＮＲシステムの態様が例として説明され得、ＬＴＥまたはＮＲ用語が説明の大部分において使用され得るが、本明細書で説明される技法は、ＬＴＥまたはＮＲ適用例を越えて適用可能である。
【０２２８】
[0236]マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（たとえば、認可、無認可などの）周波数帯域で動作し得る。スモールセルは、様々な例によれば、ピコセル、フェムトセルおよびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セルをサポートし得、また、１つまたは複数のコンポーネントキャリアを使用した通信をサポートし得る。
【０２２９】
[0237]ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【０２３０】
[0238]本明細書で説明される情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２３１】
[0239]本明細書の開示に関して説明される様々な例示的なブロックおよびモジュールは、汎用プロセッサ、ＤＳＰ、ＡＳＩＣ、ＦＰＧＡまたは他のＰＬＤ、個別ゲートまたはトランジスタ論理、個別ハードウェアコンポーネント、あるいは本明細書で説明された機能を実施するように設計されたそれらの任意の組合せを用いて実装または実行され得る。汎用プロセッサは、マイクロプロセッサであり得るが、代替として、プロセッサは、任意の従来のまたは将来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）としても実装され得る。
【０２３２】
[0240]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明される機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。
【０２３３】
[0241]コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は、通常、データを磁気的に再生し、ディスク（ｄｉｓｃ）は、データをレーザーで光学的に再生する。上記の組合せもコンピュータ可読媒体の範囲内に含まれる。
【０２３４】
[0242]特許請求の範囲内を含めて本明細書で使用する、項目のリスト（たとえば、「のうちの少なくとも１つ」または「のうちの１つまたは複数」などの句で終わる項目のリスト）内で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照として解釈されるべきでない。たとえば、「条件Ａに基づいて」と記述された例示的なステップは、本開示の範囲から逸脱することなく条件Ａと条件Ｂとの両方に基づき得る。言い換えれば、本明細書で使用される場合、「に基づいて」という句は、「に少なくとも部分的に基づいて」という句と同様に解釈されたい。
【０２３５】
[0243]添付の図では、同様のコンポーネントまたは特徴は同じ参照ラベルを有し得る。さらに、同じタイプの様々なコンポーネントが、参照ラベルの後に、ダッシュと、同様のコンポーネントを区別する第２のラベルとを続けることによって区別され得る。第１の参照ラベルのみが本明細書において使用される場合、説明は、第２の参照ラベルまたは他の後の参照ラベルにかかわらず、同じ第１の参照ラベルを有する同様のコンポーネントのいずれにも適用可能である。
【０２３６】
[0244]添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明された技法の理解を与えるための具体的な詳細を含む。しかしながら、これらの技法は、これらの特定の詳細なしに実践され得る。いくつかの事例では、説明された例の概念を不明瞭にすることを回避するために、よく知られている構造およびデバイスがブロック図の形式で示される。
【０２３７】
[0245]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【図１】
2020537408.tif 000003
【図２】
2020537408.tif 000004
【図３】
2020537408.tif 000005
【図４】
2020537408.tif 000006
【図５】
2020537408.tif 000007
【図６】
2020537408.tif 000008
【図７】
2020537408.tif 000009
【図８】
2020537408.tif 000010
【図９】
2020537408.tif 000011
【図１０】
2020537408.tif 000012
【図１１】
2020537408.tif 000013
【図１２】
2020537408.tif 000014
【図１３】
2020537408.tif 000015
【図１４】
2020537408.tif 000016
【図１５】
2020537408.tif 000017
【図１６】
2020537408.tif 000018
【図１７】
2020537408.tif 000019
【図１８】
2020537408.tif 000020
【図１９】
2020537408.tif 000021
【図２０】
2020537408.tif 000022
【図２１】
2020537408.tif 000023
【図２２】
2020537408.tif 000024
【図２３】
2020537408.tif 000025
【図２４】
2020537408.tif 000026
【国際調査報告】
2020537408.tif 000027
2020537408.tif 000028
2020537408.tif 000029
2020537408.tif 000030
2020537408.tif 000031
2020537408.tif 000032